(57)【要約】【課題】電子商取引サービスにおける販売元に適切に情報を通知する。【解決手段】本願に係る情報処理装置は、受付部と、通知部とを有する。受付部は、電子商取引サービスにおいて取引される商品に対する質問を受け付ける。通知部は、受付部により受け付けられた質問に基づいて、電子商取引サービスにおける所定の販売元に質問に関する通知情報を通知する。【選択図】図５
2020190840.tif 000002
【特許請求の範囲】
【請求項１】
電子商取引サービスにおいて取引される商品に対する質問を受け付ける受付部と、
前記受付部により受け付けられた前記質問に基づいて、前記電子商取引サービスにおける所定の販売元に前記質問に関する通知情報を通知する通知部と、
を備えたことを特徴とする情報処理装置。
【請求項２】
前記通知部は、
前記質問の内容を含む前記通知情報を通知する
ことを特徴とする請求項１に記載の情報処理装置。
【請求項３】
前記通知部は、
前記質問が表示されるコンテンツへの所定のリンクを含む前記通知情報を通知する
ことを特徴とする請求項１または請求項２に記載の情報処理装置。
【請求項４】
前記通知部は、
前記質問が表示されるコンテンツに対応するＵＲＬ（Uniform  Resource  Locator）を含む前記通知情報を通知する
ことを特徴とする請求項１〜３のいずれか１項に記載の情報処理装置。
【請求項５】
前記通知部は、
所定の期間における前記所定の販売元への通知回数が閾値未満である場合、前記所定の販売元に前記通知情報を通知する
ことを特徴とする請求項１〜４のいずれか１項に記載の情報処理装置。
【請求項６】
前記通知部は、
前記所定の期間における前記所定の販売元への前記通知回数が前記閾値以上である場合、前記所定の販売元に前記通知情報を通知しない
ことを特徴とする請求項５に記載の情報処理装置。
【請求項７】
前記所定の販売元を含む前記電子商取引サービスにおける複数の販売元が複数のグループに分類されたグループ情報を取得する取得部、
をさらに備え、
前記通知部は、
前記グループ情報に基づいて、前記所定の販売元に前記通知情報を通知する
ることを特徴とする請求項１〜６のいずれか１項に記載の情報処理装置。
【請求項８】
前記取得部は、
前記複数の販売元の各々が販売する商品のカテゴリに基づいて、前記複数の販売元が前記複数のグループに分類された前記グループ情報を取得する
ることを特徴とする請求項７に記載の情報処理装置。
【請求項９】
前記通知部は、
前記所定の販売元が属する一のグループが前記質問に対応する場合、前記所定の販売元に前記通知情報を通知する
ることを特徴とする請求項７または請求項８に記載の情報処理装置。
【請求項１０】
前記取得部は、
前記所定の販売元が属する一のグループに含まれる販売元が複数のサブグループに分類されたサブグループ情報を取得し、
前記通知部は、
前記サブグループ情報に基づいて、前記所定の販売元に前記通知情報を通知する
ことを特徴とする請求項７〜９のいずれか１項に記載の情報処理装置。
【請求項１１】
前記通知部は、
前記複数のサブグループの各々に所定の順序で通知を行い、前記質問が前記所定の販売元が属する一のグループへの通知タイミングに対応する場合、前記所定の販売元に前記通知情報を通知する
ことを特徴とする請求項１０に記載の情報処理装置。
【請求項１２】
前記質問に基づいて、前記所定の販売元を選択する選択部、
をさらに備え、
前記通知部は、
前記選択部により選択された前記所定の販売元に前記通知情報を通知する
ことを特徴とする請求項１〜１１のいずれか１項に記載の情報処理装置。
【請求項１３】
前記選択部は、
前記所定の販売元に関する販売元情報に基づいて、前記所定の販売元を選択する
ことを特徴とする請求項１２に記載の情報処理装置。
【請求項１４】
前記選択部は、
前記所定の販売元が販売する商品のカテゴリに基づいて、前記所定の販売元を選択する
ことを特徴とする請求項１２または請求項１３に記載の情報処理装置。
【請求項１５】
前記通知部は、
前記所定の販売元が販売する商品のカテゴリと、前記質問との比較に基づいて、前記所定の販売元を選択する
ることを特徴とする請求項１２〜１４のいずれか１項に記載の情報処理装置。
【請求項１６】
前記通知部は、
前記所定の販売元が販売する商品のカテゴリと、前記質問に対応するカテゴリとの比較に基づいて、前記所定の販売元を選択する
ることを特徴とする請求項１５に記載の情報処理装置。
【請求項１７】
前記選択部は、
前記質問に対応するカテゴリにおける前記所定の販売元の売上が所定の基準を満たす場合、前記所定の販売元を選択する
ることを特徴とする請求項１２〜１６のいずれか１項に記載の情報処理装置。
【請求項１８】
前記選択部は、
前記質問に対応するカテゴリの売上における前記所定の販売元の売上の割合が所定値以上である場合、前記所定の販売元を選択する
ることを特徴とする請求項１７に記載の情報処理装置。
【請求項１９】
コンピュータが実行する情報処理方法であって、
電子商取引サービスにおいて取引される商品に対する質問を受け付ける受付工程と、
前記受付工程により受け付けられた前記質問に基づいて、前記電子商取引サービスにおける所定の販売元に前記質問に関する通知情報を通知する通知工程と、
を含んだことを特徴とする情報処理方法。
【請求項２０】
電子商取引サービスにおいて取引される商品に対する質問を受け付ける受付手順と、
前記受付手順により受け付けられた前記質問に基づいて、前記電子商取引サービスにおける所定の販売元に前記質問に関する通知情報を通知する通知手順と、
をコンピュータに実行させることを特徴とする情報処理プログラム。
【発明の詳細な説明】
【技術分野】
【０００１】
本発明は、情報処理装置、情報処理方法、及び情報処理プログラムに関する。
【背景技術】
【０００２】
近年、インターネットの飛躍的な普及に伴い、インターネットを介した販売が盛んになり、例えば、電子商取引（ＥＣ：Electronic  Commerce）システムにおいて、ＥＣサイトに商品を出品し、商品をユーザに販売する技術が提供されている。例えば、上記のような電子商取引システムにおいて、質問項目に対する専門家等からの回答を入手したり、入手した回答を知識ベースに格納したりすることにより、顧客に利便性を与える技術が知られている。
【先行技術文献】
【特許文献】
【０００３】
【特許文献１】特開２００３−２９６６２８号公報
【特許文献２】特許第４５６２２０５号公報
【特許文献３】特許第５３９５１９５号公報
【発明の概要】
【発明が解決しようとする課題】
【０００４】
しかしながら、上記の従来技術では、電子商取引サービスにおける販売元に適切に情報を通知することができるとは限らない。例えば、上記の従来技術では、専門的知識が必要な商品については、専門家からの商品を利用する立場に立った回答等を参照しているに過ぎず、電子商取引サービスにおいて取引される商品に対する質問への回答の投稿を促進することが難しい。このような電子商取引サービスにおける販売元からの回答を促進するために、販売元に適切に情報を通知することが望まれている。
【０００５】
本願は、上記に鑑みてなされたものであって、電子商取引サービスにおける販売元に適切に情報を通知する情報処理装置、情報処理方法、及び情報処理プログラムを提供することを目的とする。
【課題を解決するための手段】
【０００６】
本願に係る情報処理装置は、電子商取引サービスにおいて取引される商品に対する質問を受け付ける受付部と、前記受付部により受け付けられた前記質問に基づいて、前記電子商取引サービスにおける所定の販売元に前記質問に関する通知情報を通知する通知部と、を備えることを特徴とする。
【発明の効果】
【０００７】
実施形態の一態様によれば、電子商取引サービスにおける販売元に適切に情報を通知することができるという効果を奏する。
【図面の簡単な説明】
【０００８】
【図１】図１は、実施形態に係る情報処理の一例を示す図である。
【図２】図２は、実施形態に係る情報処理の一例を示す図である。
【図３】図３は、実施形態に係る情報の表示の一例を示す図である。
【図４】図４は、実施形態に係る情報処理システムの構成例を示す図である。
【図５】図５は、実施形態に係る情報処理装置の構成例を示す図である。
【図６】図６は、実施形態に係る販売元情報記憶部の一例を示す図である。
【図７】図７は、実施形態に係るユーザ情報記憶部の一例を示す図である。
【図８】図８は、実施形態に係る質問情報記憶部の一例を示す図である。
【図９】図９は、実施形態に係る回答情報記憶部の一例を示す図である。
【図１０】図１０は、実施形態に係る通知条件情報記憶部の一例を示す図である。
【図１１】図１１は、実施形態に係る通知履歴情報記憶部の一例を示す図である。
【図１２】図１２は、実施形態に係る端末装置の構成例を示す図である。
【図１３】図１３は、実施形態に係る情報処理の一例を示すフローチャートである。
【図１４】図１４は、実施形態に係る情報処理の一例を示すフローチャートである。
【図１５】図１５は、情報処理装置の機能を実現するコンピュータの一例を示すハードウェア構成図である。
【発明を実施するための形態】
【０００９】
以下に、本願に係る情報処理装置、情報処理方法、及び情報処理プログラムを実施するための形態（以下、「実施形態」と呼ぶ）について図面を参照しつつ詳細に説明する。なお、この実施形態により本願に係る情報処理装置、情報処理方法、及び情報処理プログラムが限定されるものではない。また、以下の各実施形態において同一の部位には同一の符号を付し、重複する説明は省略される。
【００１０】
（実施形態）
〔１．情報処理〕
図１及び図２を用いて、実施形態に係る情報処理の一例について説明する。図１及び図２は、実施形態に係る情報処理の一例を示す図である。具体的には、図１は、情報処理装置１００が回答者への質問を抽出する抽出処理の一例を示す図である。また、図２は、情報処理装置１００が受け付けた質問に関する通知情報を販売元へ通知する通知処理の一例を示す図である。
【００１１】
図１の例では、情報処理装置１００が、電子商取引サービスにおいて取引される商品に対する質問への回答を投稿可能な回答者に関する回答者情報に基づいて、所定の質問群のうち、回答者へ情報提供する質問を抽出する抽出処理等の情報処理を実行する例について説明する。図１の例では、電子商取引サービスにおいて商品を販売する販売元（「ストア」ともいう）が商品に対する質問への回答を投稿可能な回答者である場合を一例として示す。なお、ここでいう回答者には、質問への回答を投稿可能な主体であれば、販売元（ストア）に限らず、どのような主体であってもよく、例えば電子商取引サービスにおいて商品を購入するユーザであってもよい。
【００１２】
また、図２の例では、情報処理装置１００が、電子商取引サービスにおいて取引される商品に対する質問を受け付け、受け付けた質問に基づいて、電子商取引サービスにおける所定の販売元に質問に関する通知情報を通知する通知処理等の情報処理を実行する例について説明する。
【００１３】
〔情報処理システムの構成〕
まず、図１及び図２の説明に先だって、図４を用いて情報処理システム１の構成について説明する。図４は、実施形態に係る情報処理システムの構成例を示す図である。図４に示すように、情報処理システム１には、端末装置１０と、販売元装置２０と、情報処理装置１００とが含まれる。端末装置１０と、販売元装置２０と、情報処理装置１００とは所定のネットワークＮを介して、有線または無線により通信可能に接続される。また、図４に示した情報処理システム１には、複数台の端末装置１０や、複数台の販売元装置２０や、複数台の情報処理装置１００が含まれてもよい。
【００１４】
情報処理装置１００は、電子商取引サービスに関する各種情報処理を実行する情報処理装置である。例えば、情報処理装置１００は、電子商取引サービスの提供に用いられるサーバ装置（コンピュータ）である。情報処理装置１００は、電子商取引サービスにおいて取引される商品に対する質問への回答を投稿可能な回答者に関する回答者情報に基づいて、所定の質問群のうち、回答者へ情報提供する質問を抽出する抽出装置である。また、情報処理装置１００は、電子商取引サービスにおいて取引される商品に対する質問への回答を投稿可能な回答者に関する回答者情報に基づいて、所定の質問群のうち、回答者へ情報提供する質問を抽出する抽出装置である。情報処理装置１００は、電子商取引サービスにおいて取引される商品に対する質問を受け付け、受け付けた質問に基づいて、電子商取引サービスにおける所定の販売元に質問に関する通知情報を通知する通知装置である。
【００１５】
図１及び図２に示す情報処理装置１００は、コンピュータネットワーク上での電子的な情報通信によって商品やサービスを取引する電子商取引（ＥＣ：Electronic  Commerce）サービスの提供に用いられる情報処理装置である。例えば、情報処理装置１００は、ＥＣサイト（電子商店街）を管理する管理者によって運用されるサーバ装置である。情報処理装置１００は、電子商取引サービスに係るコンテンツをユーザに提供する。例えば、情報処理装置１００は、電子商店街のポータルページや、電子商店街において商品を販売する販売元のストアページや、各ストアが販売する商品の商品ページ等を含むウェブサイトをユーザの端末装置１０に送信する。また、情報処理装置１００は、電子商店街に出店するストアから受け付ける要求に従い、種々の処理を行う。
【００１６】
また、情報処理装置１００は、端末装置１０から取得したクエリに対する検索結果を端末装置１０に提供する検索サービスを提供する。また、情報処理装置１００は、電子商取引サービスを提供する。
【００１７】
なお、図１及び図２では、情報処理装置１００が検索サービスや電子商取引サービスを提供する場合を示すが、外部の情報処理装置が検索サービスや電子商取引サービスを提供する場合、情報処理装置１００は検索サービスや電子商取引サービスを提供しなくてもよい。この場合、情報処理装置１００は、検索サービスや電子商取引サービスを提供する外部の情報処理装置等から各種情報を取得し、ユーザが利用する端末装置に表示される質問入力画面に付加情報を追加するかどうかを決定する処理のみを行ってもよい。
【００１８】
端末装置１０は、ユーザによって利用される情報処理装置である。端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。図１及び図２の例では、端末装置１０が、ユーザが利用するスマートフォンである場合を示す。なお、以下では、端末装置１０をユーザと表記する場合がある。すなわち、以下では、ユーザを端末装置１０と読み替えることもできる。具体的には、図１では、端末装置１０がユーザＩＤ「Ｕ１」により識別されるユーザ（「ユーザＵ１」とする場合がある）が利用するスマートフォンである場合を示す。また、図２では、端末装置１０がユーザＩＤ「Ｕ２」により識別されるユーザ（「ユーザＵ２」とする場合がある）が利用するスマートフォンである場合を示す。
【００１９】
販売元装置２０は、各販売元（ストア）の管理者等によって利用される情報処理装置である。販売元装置２０は、情報処理装置１００からの各種情報を受信する。販売元装置２０は、情報処理装置１００からの情報提供を受ける。販売元装置２０は、情報処理装置１００からの通知情報を受信する。例えば、各ストアの管理者は、販売元装置２０を用いて、電子商取引サービスにおいて販売する商品を追加したり、価格や在庫数の登録や更新等を行ったりする。また、販売元装置２０は、例えば、スマートフォンや、タブレット型端末や、ノート型ＰＣや、デスクトップＰＣや、携帯電話機や、ＰＤＡ等により実現される。
【００２０】
また、図１や図２の例では、販売元装置２０を、その販売元装置２０を利用する販売元に応じて、販売元装置２０−１、２０−２、２０−１１、２０−１２として説明する。また、以下では、販売元装置２０−１、２０−２、２０−１１、２０−１２について、特に区別なく説明する場合には、販売元装置２０と記載する。
【００２１】
〔１−１．抽出処理〕
図１の例では、情報処理装置１００が販売元から取得した回答者情報に基づいて、所定の質問群のうち、回答者である販売元へ情報提供する質問を抽出する場合を示す。具体的には、販売元と質問との関係に基づいて、情報処理装置１００が販売元へ提供する質問を抽出する場合と、販売元が入力したクエリに基づいて、情報処理装置１００が販売元へ提供する質問を抽出する場合とを示す。
【００２２】
情報処理装置１００は、質問情報記憶部１２３に示すように、複数のユーザの各々が投稿した質問に関する質問情報を有する。図１の例では、情報処理装置１００は、ユーザＵ２が利用する端末装置１０から、質問ＱＳ１を受け付ける（ステップＳ１１）。例えば、ユーザＵ２は、端末装置１０を操作することにより、質問ＱＳ１に対応する質問情報を入力する。例えば、ユーザＵ２は、端末装置１０に表示された質問入力画面のコンテンツＩＭ１（図３参照）に、質問ＱＳ１に対応する情報を入力する。なお、コンテンツＩＭ１についての詳細は後述する。
【００２３】
例えば、ユーザＵ２が利用する端末装置１０は、ユーザＵ２により入力された質問ＱＳ１を、ユーザＵ２の操作に応じて情報処理装置１００へ送信する。例えば、端末装置１０は、ユーザＵ２がコンテンツＩＭ１へ質問ＱＳ１に対応する情報を入力した後、コンテンツＩＭ１中の質問投稿ボタンＢＴ１を押下することにより、質問ＱＳ１に対応する情報を情報処理装置１００へ送信する。なお、図１の例では、ユーザＵ２による質問ＱＳ１の投稿のみを図示するが、情報処理装置１００は、多数のユーザの各々が利用する端末装置１０から、質問を受け付ける。なお、情報処理装置１００は、所定の外部装置から質問情報記憶部１２３に示すよう質問情報を取得してもよい。
【００２４】
そして、情報処理装置１００は、質問情報記憶部１２３に質問情報を登録する（ステップＳ１２）。情報処理装置１００は、ユーザＵ２が入力した質問ＱＳ１の質問情報を質問情報記憶部１２３に登録する。情報処理装置１００は、質問ＱＳ１の質問情報として、質問ＱＳ１の質問日時や質問者ＩＤやカテゴリや質問内容を質問情報記憶部１２３に登録する。
【００２５】
図１に示す質問情報記憶部１２３中の「質問ＩＤ」は、質問を識別するための識別情報を示す。「質問日時」は、対応する質問が行われた日時を示す。「質問者ＩＤ」は、質問を行った主体（質問者）を識別するための識別情報を示す。「カテゴリ」は、質問のカテゴリを示す。例えば、「カテゴリ」は、質問者がコンテンツＩＭ１で指定したカテゴリが格納される。「質問内容」は、対応する質問の具体的な内容を示す。
【００２６】
例えば、図１の例は、質問ＩＤ「ＱＳ１」により識別される質問（質問ＱＳ１）は、質問された日時が「ＱＤＴ１」であることを示す。また、質問ＱＳ１の質問者は、ユーザＩＤ「Ｕ２」により識別されるユーザ（ユーザＵ２）であることを示す。また、質問ＱＳ１のカテゴリが、カテゴリ「メンズファッション」であるカテゴリＣＴ２であることを示す。例えば、質問ＱＳ１は、質問者であるユーザＵ２により、カテゴリがカテゴリＣＴ２（メンズファッション）と指定されたことを示す。また、質問ＱＳ１の質問内容は、「ＱＳＣ１」であることを示す。また、図１に示す質問情報記憶部１２３には、質問ＱＳ１以外にも質問ＱＳ２や質問ＱＳ３といった多数の質問を含む質問群が記憶される。
【００２７】
情報処理装置１００は、ストアＡである販売元ＳＡ１の販売元装置２０−１から情報の要求を取得する（ステップＳ１３）。例えば、情報処理装置１００は、販売元装置２０−１から電子商取引サービスに関連する情報の要求を取得する。ストアＡの管理者は、販売元装置２０−１を操作することにより、電子商取引サービスに関連する情報を情報処理装置１００に要求する。
【００２８】
情報処理装置１００は、ストアＡの販売元装置２０−１へ情報提供する質問を抽出する（ステップＳ１４）。図１の例では、情報処理装置１００は、ストアＡの取扱い商品カテゴリ等を含む販売する販売商品に関する販売商品情報ＳＬ１を用いて、ストアＡへ情報提供する質問を抽出する。情報処理装置１００は、販売商品情報ＳＬ１を用いて、質問情報記憶部１２３からストアＡへ情報提供する質問を抽出する。情報処理装置１００は、ストアＡの取扱い商品カテゴリと、各質問のカテゴリとの比較に基づいて、ストアＡへ情報提供する質問を抽出する。
【００２９】
情報処理装置１００は、ストアＡの取扱い商品カテゴリに該当するカテゴリが指定された質問を、質問情報記憶部１２３から抽出する。情報処理装置１００は、ストアＡの取扱い商品カテゴリに含まれるカテゴリＣＴ２が対応付けられた質問ＱＳ１をストアＡへ情報提供する質問として抽出する。また、情報処理装置１００は、ストアＡの取扱い商品カテゴリに含まれるカテゴリＣＴ３が対応付けられた質問ＱＳ５をストアＡへ情報提供する質問として抽出する。このように、図１の例では、情報処理装置１００は、抽出質問一覧ＱＳＬ１に示すように、ストアＡの取扱い商品カテゴリに該当するカテゴリが指定された質問ＱＳ１、ＱＳ５等をストアＡへ情報提供する質問として抽出する。
【００３０】
情報処理装置１００は、抽出結果に基づいてストアＡの販売元装置２０−１へ情報提供を行う（ステップＳ１５）。図１の例では、情報処理装置１００は、抽出質問一覧ＱＳＬ１に示すような質問ＱＳ１、ＱＳ５等をストアＡへ情報提供する。情報処理装置１００は、質問ＱＳ１、ＱＳ５等の質問情報をストアＡの販売元装置２０−１へ送信する。情報処理装置１００から質問ＱＳ１、ＱＳ５等の質問情報を受信した販売元装置２０−１は、受信した質問ＱＳ１、ＱＳ５等の質問情報を表示する。
【００３１】
また、情報処理装置１００は、販売元が指定したクエリに対応する質問に関する情報を販売元に提供してもよい。この点について、以下説明する。情報処理装置１００は、ストアＢである販売元ＳＡ２の販売元装置２０−２からクエリ情報を取得する（ステップＳ１７）。図１の例では、情報処理装置１００は、販売元装置２０−２からクエリ「旅行」を取得する。例えば、ストアＢの管理者は、販売元装置２０−２を操作することにより、クエリ「旅行」を情報処理装置１００に送信する。ストアＢの管理者は、販売元装置２０−２に表示されたコンテンツＩＭ１のクエリ入力欄ＢＸ１１に文字列「旅行」を入力し、絞込みボタンＢＴ１１を押下することにより、クエリ「旅行」を情報処理装置１００に送信する。
【００３２】
情報処理装置１００は、ストアＢの販売元装置２０−２へ情報提供する質問を抽出する（ステップＳ１８）。図１の例では、情報処理装置１００は、販売元装置２０−２から取得したクエリ「旅行」を用いて、ストアＢへ情報提供する質問を抽出する。情報処理装置１００は、クエリ「旅行」を用いて、質問情報記憶部１２３に記憶された各質問を検索することにより、質問情報記憶部１２３からストアＢへ情報提供する質問を抽出する。情報処理装置１００は、クエリである検索キーワード「旅行」と、質問情報記憶部１２３中の質問群中の各質問との比較に基づいて、ストアＢへ情報提供する質問を抽出する。
【００３３】
情報処理装置１００は、質問情報記憶部１２３中の質問群中の各質問のうち検索キーワード「旅行」に該当する質問を、ストアＢへ情報提供する質問として抽出する。情報処理装置１００は、検索キーワード「旅行」に対応する文字列が質問情報に含まれる質問ＱＳ２をストアＢへ情報提供する質問として抽出する。また、情報処理装置１００は、検索キーワード「旅行」に対応する文字列が質問情報に含まれる質問ＱＳ８をストアＢへ情報提供する質問として抽出する。このように、図１の例では、情報処理装置１００は、抽出質問一覧ＱＳＬ２に示すように、検索キーワード「旅行」に対応する文字列が質問情報に含まれる質問ＱＳ２、ＱＳ８等をストアＢへ情報提供する質問として抽出する。
【００３４】
情報処理装置１００は、抽出結果に基づいてストアＢの販売元装置２０−２へ情報提供を行う（ステップＳ１９）。図１の例では、情報処理装置１００は、抽出質問一覧ＱＳＬ２に示すような質問ＱＳ２、ＱＳ８等をストアＢへ情報提供する。情報処理装置１００は、質問ＱＳ２、ＱＳ８等の質問情報をストアＢの販売元装置２０−２へ送信する。情報処理装置１００から質問ＱＳ２、ＱＳ８等の質問情報を受信した販売元装置２０−２は、受信した質問ＱＳ２、ＱＳ８等の質問情報を表示する。
【００３５】
〔１−１−１．効果〕
上述のように、情報処理装置１００は、ストアＡ自身の事業に関連する質問の情報提供をストアＡに行うことで、情報提供された質問にストアＡが回答する可能性を高めることにより、質問に対する回答を促進することができる。このように、情報処理装置１００は、質問への回答者に対する適切な情報提供を行うことができる。
【００３６】
また、情報処理装置１００は、ストアＢが指定したクエリに対応する質問の情報提供をストアＢに行うことで、情報提供された質問にストアＢが回答する可能性を高めることにより、質問に対する回答を促進することができる。このように、情報処理装置１００は、質問への回答者に対する適切な情報提供を行うことができる。
【００３７】
上記のように、情報処理装置１００は、販売元に対して、その販売元が回答する可能性が高い質問を抽出することにより、質問への回答者に対する適切な情報提供を可能にすることができる。また、情報処理装置１００は、販売元に対して抽出した質問を、その販売元に提供することにより、その販売元が質問に対する回答を行う可能性を高くすることがきる。したがって、情報処理装置１００は、質問への回答者に対する適切な情報提供を行うことができる。
【００３８】
〔１−１−２．他の抽出例〕
なお、情報処理装置１００は、上記に限らず、種々の情報を適宜用いて、質問を抽出してもよい。情報処理装置１００は、クエリに限らず、回答者が指定した種々の情報を適宜用いて、質問を抽出してもよい。情報処理装置１００は、回答者が指定した商品カテゴリに基づいて、回答者へ情報提供する質問を抽出してもよい。情報処理装置１００は、回答者が指定した商品カテゴリに基づいて、回答者へ情報提供する質問を抽出してもよい。例えば、情報処理装置１００は、販売元ＳＡ１が商品カテゴリとしてカテゴリＣＴ１を指定した場合、販売元ＳＡ１へカテゴリＣＴ１が対応付けられた質問を情報提供する質問として抽出してもよい。
【００３９】
また、情報処理装置１００は、回答者の属性情報を含む回答者情報に基づいて、回答者へ情報提供する質問を抽出してもよい。情報処理装置１００は、ユーザの属性情報に基づいて、ユーザへ情報提供する質問を抽出してもよい。例えば、情報処理装置１００は、２０代男性であるユーザＵＸへ情報提供を行う場合、ユーザＵＸの属性と類似する属性のユーザが投稿した質問を情報提供する質問として抽出してもよい。この場合、情報処理装置１００は、ユーザＵＸと同じ２０代男性が投稿した質問を抽出し、ユーザＵＸが利用する端末装置１０へ情報提供を行ってもよい。
【００４０】
また、情報処理装置１００は、販売元の販売商品に対応する質問を、販売元へ情報提供する質問として抽出するもよい。情報処理装置１００は、販売元が販売する販売商品についての質問を、その販売元へ情報提供する質問を抽出してもよい。例えば、情報処理装置１００は、販売元ＳＡ１が販売する衣類Ａである商品ＧＤ１に対する質問ＱＳＸが有る場合、質問ＱＳＸを販売元ＳＡ１へ情報提供する質問として抽出してもよい。
【００４１】
また、情報処理装置１００は、質問を行った質問者に関する情報（質問者情報）に基づいて、質問を抽出してもよい。例えば、情報処理装置１００は、販売元ＳＡＸが販売する商品の購入履歴がない質問者による質問を、販売元ＳＡＸへ情報提供する質問として抽出してもよい。これにより、情報処理装置１００は、販売元から商品を購入する新規ユーザになり得る可能性が有るユーザの質問を抽出することができる。そして、情報処理装置１００は、抽出した質問を販売元へ提供することにより、質問に対する回答を促進し、販売元（ストア）の売上を増大させることができる。
【００４２】
また、情報処理装置１００は、販売元ＳＡＸが販売する商品の購入履歴が有る質問者による質問を、販売元ＳＡＸへ情報提供する質問として抽出してもよい。これにより、情報処理装置１００は、販売元から商品を購入経験がある既存ユーザによる質問を抽出することができる。そして、情報処理装置１００は、抽出した質問を販売元へ提供することにより、質問に対する回答を促進し、既存ユーザが再度その販売元で購入を行う可能性を増大させ、販売元（ストア）の売上を増大させることができる。
【００４３】
情報処理装置１００は、質問者と回答者との比較に基づいて、回答者へ情報提供する質問を抽出してもよい。情報処理装置１００は、質問者情報と回答者情報との比較に基づいて、回答者へ情報提供する質問を抽出してもよい。情報処理装置１００は、各質問者の電子商取引サービスにおける購入履歴を含む質問者情報に基づいて、回答者へ情報提供する質問を抽出してもよい。情報処理装置１００は、販売元ＳＡ１へ情報提供を行う場合、販売元ＳＡ１が販売する商品に類似する商品の購入履歴が有るユーザの質問を、販売元ＳＡ１へ情報提供する質問として抽出してもよい。情報処理装置１００は、販売元ＳＡ１へ情報提供を行う場合、販売元ＳＡ１の取扱い商品カテゴリに該当する商品の購入履歴が有るユーザの質問を、販売元ＳＡ１へ情報提供する質問として抽出してもよい。これにより、情報処理装置１００は、販売元との関連性が高いユーザの質問を抽出することができる。そして、情報処理装置１００は、抽出した質問を販売元へ提供することにより、質問に対する回答を促進し、ユーザがその販売元で購入を行う可能性を増大させ、販売元（ストア）の売上を増大させることができる。
【００４４】
〔１−２．抽出処理〕
次に、図２を用いて、情報処理装置１００による販売元への通知処理について説明する。図２の例では、情報処理装置１００が商品に対する質問を受け付けた場合に、受け付けた質問に基づいて、所定の販売元に質問に関する通知情報を通知する場合を示す。具体的には、所定の基準を基に複数の販売元がグループ化されたグループ情報や、所定の期間（図２の例では１日）での通知回数の閾値に基づいて、情報処理装置１００が販売元へ通知を行う場合を示す。
【００４５】
まず、情報処理装置１００は、ユーザＵ１が利用する端末装置１０から、質問ＱＳ１１を受け付ける（ステップＳ２１）。例えば、ユーザＵ１は、端末装置１０を操作することにより、質問ＱＳ１１に対応する質問情報を入力する。例えば、ユーザＵ１は、端末装置１０に表示された質問入力画面のコンテンツＩＭ１（図３参照）に、質問ＱＳ１１に対応する情報を入力する。例えば、ユーザＵ１が利用する端末装置１０は、ユーザＵ１により入力された質問ＱＳ１１を、ユーザＵ１の操作に応じて情報処理装置１００へ送信する。例えば、端末装置１０は、ユーザＵ１がコンテンツＩＭ１へ質問ＱＳ１１に対応する情報を入力した後、コンテンツＩＭ１中の質問投稿ボタンＢＴ１を押下することにより、質問ＱＳ１１に対応する情報を情報処理装置１００へ送信する。
【００４６】
そして、情報処理装置１００は、質問情報記憶部１２３に質問情報を登録する（ステップＳ２２）。情報処理装置１００は、ユーザＵ１が入力した質問ＱＳ１１の質問情報を質問情報記憶部１２３に登録する。情報処理装置１００は、質問ＱＳ１１の質問情報として、質問ＱＳ１１の質問日時や質問者ＩＤやカテゴリや質問内容を質問情報記憶部１２３に登録する。
【００４７】
図２の例は、質問ＩＤ「ＱＳ１１」により識別される質問（質問ＱＳ１１）は、質問された日時が「ＱＤＴ１１」であることを示す。また、質問ＱＳ１１の質問者は、ユーザＩＤ「Ｕ１」により識別されるユーザ（ユーザＵ１）であることを示す。また、質問ＱＳ１１のカテゴリが、カテゴリ「家電」であるカテゴリＣＴ１１であることを示す。例えば、質問ＱＳ１１は、質問者であるユーザＵ１により、カテゴリがカテゴリＣＴ１１（家電）と指定されたことを示す。また、質問ＱＳ１１の質問内容は、「ＱＳＣ１１」であることを示す。
【００４８】
情報処理装置１００は、通知先の候補を選択する（ステップＳ２３）。例えば、情報処理装置１００は、所定の販売元を含む電子商取引サービスにおける複数の販売元が複数のグループに分類されたグループ情報を用いて、通知先の候補を選択する。例えば、情報処理装置１００は、複数の販売元の各々が販売する商品のカテゴリに基づいて、複数の販売元が複数のグループに分類されたグループ情報を用いて、通知先の候補を選択する。例えば、情報処理装置１００は、所定の販売元が属する一のグループに含まれる販売元が複数のサブグループに分類されたサブグループ情報を用いて、通知先の候補を選択する。
【００４９】
図２の例では、情報処理装置１００は、通知条件情報記憶部１２５に記憶された通知条件に関する情報（通知条件情報）を用いて、通知先の候補を選択する。
【００５０】
図２中の通知条件情報記憶部１２５に示す「回数条件」は、通知の回数に関する条件を示す。また、図２中の通知条件情報記憶部１２５に示す「通知先選択条件」は、通知先の選択に関する条件を示す。「通知先選択条件」中の「グループ」は、通知先の選択基準となるグループを示す。「通知先選択条件」中の「サブグループ」は、対応するグループが分割されたサブグループを示す。「通知先選択条件」中の「所属販売元」は、対応するサブグループに属する販売元を示す。「通知先選択条件」中の「フラグ」は、複数のサブグループのうち、通知の対象となるサブグループを識別する情報を示す。
【００５１】
図２の例では、「回数条件」は、「１日最大３回」であることを示し、各販売元に通知される回数が１日に最大で３回であることを示す。また、グループＧＰ１１は、カテゴリＣＴ１１に対応するグループであることを示す。この場合、グループＧＰ１１は、カテゴリ「家電」であるカテゴリＣＴ１１が取扱いカテゴリに含まれる販売元が含まれることを示す。また、グループＧＰ１１は、サブグループＧＰ１１−１やサブグループＧＰ１１−２等の複数のサブグループに分類されることを示す。
【００５２】
情報処理装置１００は、質問ＱＳ１１に関する質問情報と、通知条件情報記憶部１２５中の通知先選択条件に関する情報とに基づいて、通知先の候補を選択する。情報処理装置１００は、質問ＱＳ１１のカテゴリがカテゴリＣＴ１１であるため、カテゴリＣＴ１１が取扱いカテゴリに含まれる販売元が属するグループＧＰ１１を対象として、通知先の候補を選択する。
【００５３】
情報処理装置１００は、グループＧＰ１１中のサブグループＧＰ１１−１やサブグループＧＰ１１−２等の複数のサブグループのうち、一のサブグループに属する販売元を通知先の候補として選択する。図２の例では、情報処理装置１００は、グループＧＰ１１中のサブグループＧＰ１１−１やサブグループＧＰ１１−２等の複数のサブグループのうち、フラグが「１」に設定されているサブグループＧＰ１１−１に属する販売元を通知先の候補として選択する。この場合、情報処理装置１００は、サブグループＧＰ１１−１に属する販売元ＳＡ１１、ＳＡ１２、ＳＡ１３等を通知先の候補として選択する。
【００５４】
情報処理装置１００は、通知先の候補から通知先を選択する（ステップＳ２４）。例えば、情報処理装置１００は、通知先の候補のうち、所定の期間における通知回数が閾値未満である販売元を通知先として選択する。図２の例では、情報処理装置１００は、通知条件情報記憶部１２５に記憶された回数条件を用いて、通知先を選択する。具体的には、情報処理装置１００は、通知先の候補のうち、対応する日にち（１日）における通知回数が、閾値「３回」未満である販売元を通知先として選択する。
【００５５】
情報処理装置１００は、サブグループＧＰ１１−１に属する販売元ＳＡ１１、ＳＡ１２、ＳＡ１３等の各々の通知回数を示す通知回数情報ＮＴＬ１を用いて、通知先を選択する。情報処理装置１００は、販売元ＳＡ１１、ＳＡ１２、ＳＡ１３のうち、通知回数情報ＮＴＬ１に示す通知回数が閾値「３回」未満である販売元ＳＡ１１等を通知先として選択する。一方、情報処理装置１００は、販売元ＳＡ１１、ＳＡ１２、ＳＡ１３のうち、通知回数情報ＮＴＬ１に示す通知回数が閾値「３回」以上である販売元ＳＡ１２等を通知先として選択しない。これにより、情報処理装置１００は、通知先一覧ＮＤＬ１に示すように、サブグループＧＰ１１−１に属する販売元のうち、販売元ＳＡ１２等を除く、販売元ＳＡ１１、ＳＡ１３を通知先として選択する。
【００５６】
情報処理装置１００は、通知先として選択された販売元の販売元装置２０へ質問ＱＳ１１に関する通知情報を通知する（ステップＳ２５）。例えば、情報処理装置１００は、通知先として選択された販売元の販売元装置２０へ質問ＱＳ１１に関する通知情報を送信する。情報処理装置１００は、通知先として選択された販売元の販売元装置２０へ質問ＱＳ１１の内容を示す通知情報を送信する。図２の例では、情報処理装置１００は、通知先として選択された販売元ＳＡ１１の販売元装置２０−１１へ質問ＱＳ１１に関する通知情報を通知する。また、情報処理装置１００は、通知先として選択されなかった販売元ＳＡ１２の販売元装置２０−１２へ質問ＱＳ１１に関する通知情報を通知しない。
【００５７】
例えば、情報処理装置１００は、質問ＱＳ１１が表示されるコンテンツへの所定のリンクを含む通知情報を通知する。情報処理装置１００は、質問ＱＳ１１が表示されるコンテンツに対応するＵＲＬ（Uniform  Resource  Locator）を含む通知情報を通知する。情報処理装置１００は、質問ＱＳ１１が表示されるコンテンツへの所定のリンクを含む通知情報を販売元ＳＡ１１の販売元装置２０−１１へ送信する。情報処理装置１００は、質問ＱＳ１１への回答を入力するページ（回答入力ページ）への所定のリンクを含む通知情報を販売元ＳＡ１１の販売元装置２０−１１へ送信する。販売元装置２０−１１は、質問ＱＳ１１が表示されるコンテンツへの所定のリンクを含む通知情報を表示する。質問ＱＳ１１が表示されるコンテンツへの所定のリンクを含む通知情報を確認した販売元ＳＡ１１の管理者等は、販売元装置２０−１１に表示された所定のリンクを指定することにより、質問ＱＳ１１への回答を入力するページ（回答入力ページ）を販売元装置２０−１１に表示させる。そして、販売元ＳＡ１１の管理者等は、販売元装置２０−１１に表示された質問ＱＳ１１の回答入力ページに回答を入力し、情報処理装置１００へ送信する。これにより、情報処理装置１００は、販売元装置２０−１１から質問ＱＳ１１に対する回答を受信し、取得する。
【００５８】
また、情報処理装置１００は、サブグループＧＰ１１−１に属する販売元ＳＡ１１、ＳＡ１３等の質問ＱＳ１１に関する通知情報を通知した後、通知条件情報記憶部１２５中の「フラグ」を更新する。このように、情報処理装置１００は、グループを対象に通知が行う度に、そのグループのフラグを更新する。情報処理装置１００は、グループＧＰ１１を対象に通知が行う度に、グループＧＰ１１のフラグを更新する。図２の例では、情報処理装置１００は、サブグループＧＰ１１−１を対象に通知が行った後、サブグループＧＰ１１−１のフラグを「１」から「０」に更新し、他のサブグループのうち、一のサブグループのフラグが「０」から「１」に更新する。例えば、情報処理装置１００は、サブグループＧＰ１１−１のフラグを「１」から「０」に更新し、サブグループＧＰ１１−２のフラグを「０」から「１」に更新する。これにより、情報処理装置１００は、グループＧＰ１１内の各サブグループを順番に通知先の候補に選択する。この場合、次にグループＧＰ１１が通知先となった場合、情報処理装置１００は、サブグループＧＰ１１−２に属する販売元ＳＡ２１や販売元ＳＡ２２や販売元ＳＡ２３が通知先の候補として選択する。
【００５９】
〔１−２−１．効果〕
上述のように、情報処理装置１００は、販売元に関連する質問が受け付けられた場合、その販売元に質問が受け付けられたことを通知することにより、販売元が通知された質問へ回答する可能性を高めることにより、質問に対する回答を促進することができる。このように、情報処理装置１００は、電子商取引サービスにおける販売元に適切に情報を通知することができる。
【００６０】
また、上記のように、情報処理装置１００は、所定の期間の通知回数に上限を設けることにより、適切な通知回数の通知を販売元に行うことで、質問に対する回答を促進することができる。すなわち、情報処理装置１００は、所定の期間における所定の販売元への通知回数が閾値以上である場合、所定の販売元に通知情報を通知しないことにより、販売元に大量の通知が行われ、販売元が質問へ回答するモチベーションを低下させる可能性を低減し、質問に対する回答を促進することができる。
【００６１】
〔１−２−２．他の通知出例〕
なお、情報処理装置１００は、上記に限らず、種々の情報を適宜用いて、通知先となる販売元を選択してもよい。例えば、情報処理装置１００は、グループ情報を用いることなく、通知先となる販売元を選択してもよい。
【００６２】
情報処理装置１００は、販売元が販売する商品のカテゴリに基づいて、通知先を選択してもよい。情報処理装置１００は、販売元が販売する商品のカテゴリと、質問との比較に基づいて、通知先を選択してもよい。情報処理装置１００は、販売元が販売する商品のカテゴリと、質問に対応するカテゴリとの比較に基づいて、通知先を選択してもよい。情報処理装置１００は、質問に対応するカテゴリにおける販売元の売上が所定の基準を満たす場合、その販売元を通知先に選択してもよい。情報処理装置１００は、質問に対応するカテゴリの売上における販売元の売上の割合が所定値以上である場合、その販売元を通知先に選択する。情報処理装置１００は、質問に対応するカテゴリ「スキー用品」の売上における全売上のうち、販売元ＳＡＹの割合が所定値（例えば２５％等）以上である場合、販売元ＳＡＹを通知先に選択する。
【００６３】
〔１−３．表示例〕
なお、図１及び図２に示す例において、端末装置１０や販売元装置２０は、各種情報を適宜の態様により表示する。例えば、端末装置１０や販売元装置２０は、情報処理装置１００が生成したコンテンツを表示する。この場合、情報処理装置１００は、コンテンツを生成し、生成したコンテンツを端末装置１０や販売元装置２０へ提供する。
【００６４】
例えば、情報処理装置１００は、図３に示すような、質問入力画面のコンテンツＩＭ１を生成し、端末装置１０へ提供してもよい。端末装置１０は、コンテンツＩＭ１を表示する。図３は、実施形態に係る情報の表示の一例を示す図である。
【００６５】
図３は、情報処理装置１００が提供するコンテンツの一例である「探し物掲示板」にユーザが質問を投稿するための質問入力画面のコンテンツＩＭ１を示す。コンテンツＩＭ１は、例えば、情報処理装置１００にアクセスした端末装置１０の画面上に表示される。
【００６６】
図３に示すように、コンテンツＩＭ１は、質問を投稿するためのタイトル入力欄ＢＸ１と、カテゴリ指定欄ＢＸ２と、予算下限指定欄ＢＸ３と、予算上限指定欄ＢＸ４と、内容入力欄ＢＸ５と、質問投稿ボタンＢＴ１とを含む。また、コンテンツＩＭ１は、質問を絞り込むためのクエリ入力欄ＢＸ１１と、カテゴリ指定欄ＢＸ１２と、絞込みボタンＢＴ１１とを含む。また、コンテンツＩＭ１は、質問への回答に関するランキングを表示する領域ＡＲ１と、質問を一覧表示する領域ＡＲ２とを含む。なお、図３の例では、紙面に都合上、領域ＡＲ２に一つの質問を表示する例を示すが、領域ＡＲ２には、複数の質問が一覧表示される。
【００６７】
タイトル入力欄ＢＸ１は、ユーザが探し物の概要を入力するために用いる入力欄である。カテゴリ指定欄ＢＸ２は、ユーザが探し物の商品のカテゴリの指定するために用いる入力欄である。カテゴリ指定欄ＢＸ２は、ユーザが質問に対応するカテゴリを指定するために用いる。カテゴリ指定欄ＢＸ２は、コンボボックス等の所定の形式により、電子商取引サービスで取り扱われる商品のカテゴリを選択可能であってもよい。例えば、ユーザが「（男性用の）ビジネスコート」を商品として探している場合、そのユーザは、カテゴリ指定欄ＢＸ２において、カテゴリとして「メンズファッション」を指定する。
【００６８】
予算下限指定欄ＢＸ３は、探している商品の予算の下限を入力するために用いる入力欄である。予算上限指定欄ＢＸ４は、探している商品の予算の上限を入力するために用いる入力欄である。なお、ユーザは、具体的な金額を提示する態様で予算を指定してもよいし、「同一カテゴリ内の全商品の平均的な価格」など、具体的な金額を提示せずに予算を指定してもよい。
【００６９】
内容入力欄ＢＸ５は、探し物の詳細な内容を入力するために用いる入力欄である。例えば、内容入力欄ＢＸ５には、カテゴリ指定欄ＢＸ２の選択に応じて、テンプレートが表示される。質問投稿ボタンＢＴ１は、質問を情報処理装置１００に投稿するために用いるボタンである。ユーザにより質問投稿ボタンＢＴ１が選択された場合、端末装置１０は、入力された質問に関する情報を情報処理装置１００に送信する。
【００７０】
また、クエリ入力欄ＢＸ１１は、ユーザや販売元が質問を検索するためのクエリを入力するために用いる入力欄である。カテゴリ指定欄ＢＸ１２は、ユーザや販売元が質問を検索するためのカテゴリを入力するために用いる入力欄である。絞込みボタンＢＴ１１は、質問を絞り込むために用いるボタンである。ユーザにより絞込みボタンＢＴ１１が選択された場合、端末装置１０や販売元装置２０は、クエリ入力欄ＢＸ１１やカテゴリ指定欄ＢＸ１２に入力された情報に対応する質問を領域ＡＲ２に一覧表示する。
【００７１】
領域ＡＲ１には、質問への回答に関するランキングが表示される。図３の例では、質問に対する回答の回数が多い回答者から順に、回答者を一覧表示する。例えば、回答数が１０００回であるストアＡは、５位の回答者として領域ＡＲ１に表示される。例えば、回答数が４５０回であるユーザＵ２は、１０位の回答者として領域ＡＲ１に表示される。このように、領域ＡＲ１には、販売元やユーザ等の種々の回答者をその回答回数に基づいて、一覧でランキング表示される。
【００７２】
領域ＡＲ２には、質問が一覧表示される。例えば、領域ＡＲ２には、投稿された日時が最新の質問から順に、質問が一覧表示される。領域ＡＲ２には、クエリやカテゴリが指定されていない場合、質問群の内、投稿された日時が最新の質問から順に、質問が一覧表示される。
【００７３】
なお、販売元装置２０にも同様のコンテンツが表示されてもよい。例えば、販売元装置２０には、質問の入力に対応する部分を除く、領域ＡＲ１に示すランキングや領域ＡＲ２に示す質問一覧等を含むコンテンツＩＭ２が表示される。この場合、情報処理装置１００は、コンテンツＩＭ２を生成し、販売元装置２０へ提供する。
【００７４】
図１の例では、情報処理装置１００は、販売元ＳＡ１に対して抽出した質問ＱＳ１や質問ＱＳ５の情報に加えて、領域ＡＲ１に示すランキングや領域ＡＲ２に示す質問一覧等を含むコンテンツＩＭ５１を、販売元ＳＡ１に提供してもよい。情報処理装置１００は、販売元ＳＡ１に対して抽出した質問ＱＳ１や質問ＱＳ５の情報に加えて、領域ＡＲ１に示すランキングや領域ＡＲ２に示す質問一覧等を含むコンテンツＩＭ５１を生成し、生成したコンテンツＩＭ５１を販売元ＳＡ１の販売元装置２０−１に送信する。販売元装置２０−１は、コンテンツＩＭ５１を表示する。
【００７５】
〔１−４．その他〕
また、上述した情報処理が適用可能であれば、商品に限らず、ストア（販売元）が提供する役務、すなわちサービスが注文の対象であってもよい。
【００７６】
〔２．情報処理装置の構成〕
次に、図５を用いて、実施形態に係る情報処理装置１００の構成について説明する。図５は、実施形態に係る情報処理装置の構成例を示す図である。図５に示すように、情報処理装置１００は、通信部１１０と、記憶部１２０と、制御部１３０とを有する。なお、情報処理装置１００は、情報処理装置１００の管理者等から各種操作を受け付ける入力部（例えば、キーボードやマウス等）や、各種情報を表示するための表示部（例えば、液晶ディスプレイ等）を有してもよい。
【００７７】
（通信部１１０）
通信部１１０は、例えば、ＮＩＣ（Network  Interface  Card）等によって実現される。そして、通信部１１０は、ネットワークと有線または無線で接続され、例えば情報処理システム１に含まれる端末装置１０や販売元装置２０等との間で情報の送受信を行う。
【００７８】
（記憶部１２０）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図５に示すように、販売元情報記憶部１２１と、ユーザ情報記憶部１２２と、質問情報記憶部１２３と、回答情報記憶部１２４と、通知条件情報記憶部１２５と、通知履歴情報記憶部１２６とを有する。
【００７９】
（販売元情報記憶部１２１）
実施形態に係る販売元情報記憶部１２１は、販売元（ストア）に関する各種情報を記憶する。図６は、実施形態に係る販売元情報記憶部の一例を示す図である。図６に示す販売元情報記憶部１２１は、「販売元ＩＤ」、「ストア」、「回答履歴」、「取扱い商品カテゴリ」、「売上」、「回答履歴」、「通知回数（１日）」、「商品情報」といった項目を有する。また、「商品情報」には、「商品ＩＤ」、「商品名」、「価格」、「在庫数」といった項目を有する。なお、図示を省略するが、販売元情報記憶部１２１には、商品情報として、商品の画像やタイトルや説明文などの種々の商品情報が商品ＩＤに対応付けて記憶される。また、販売元情報記憶部１２１には、商品ＩＤに対応付けて各商品のキャンセル条件を示す情報（キャンセル条件情報）が記憶されてもよい。
【００８０】
「販売元ＩＤ」は、販売元を識別するための識別情報を示す。「ストア」は、対応する商品の販売元であるストアを示す。例えば、販売元ＩＤ「ＳＡ１」により識別される販売元（販売元ＳＡ１）は、図１の例に示したストアＡに対応する。
【００８１】
「回答履歴」は、販売元の質問への回答に関する履歴情報を示す。例えば、「回答履歴」は、回答者として、販売元が質問へ回答を行った回答の履歴を示す。図６では「回答履歴」に「ＡＬＧ１」等といった抽象的（概念的）な情報が格納される例を示したが、実際には、販売元が回答した質問を識別する情報や回答日時や回答内容などを含む情報（回答情報）、または、これらの格納場所を示すファイルパス名などが格納される。「回答履歴」には、販売元の質問への回答を行った回数を示す情報（回数情報）が含まれてもよい。
【００８２】
「取扱い商品カテゴリ」は、販売元（ストア）が取り扱う（販売する）商品のカテゴリを示す。例えば、「取扱い商品カテゴリ」には、販売元（ストア）が販売する商品のカテゴリの一覧が記憶される。「取扱い商品カテゴリ」には、カテゴリを示す文字情報が記憶されてもよい。「取扱い商品カテゴリ」は、販売元が電子商取引サービスの提供元へ申請してもよいし、販売元が取り扱う商品から、電子商取引サービスの提供元が付与するようにしてもよい。「取扱い商品カテゴリ」は、例えば、販売元（ストア）の特徴を示すタグとして各ストアに付与される。
【００８３】
「売上」は、販売元の売上を示す。例えば、「売上」は、販売元の所定の期間（例えば１ヶ月や１年等）の売上を示す。図６では「売上」に「ＳＬ１」等といった抽象的（概念的）な情報が格納される例を示したが、実際には、「５万円」や「１００万円」等具体的な情報（数値）が格納される。「通知回数（１日）」は、販売元への通知が行われた回数を示す。「通知回数（１日）」は、１日単位で販売元への通知が行われた回数を示す。「通知回数（１日）」は、その時点の日付に対応する日にちに販売元への通知が行われた回数を示す。例えば、「通知回数（１日）」に格納された情報（数値）は、日付が変更された時点で「０回」に更新される。
【００８４】
「商品情報」は、販売元が販売する商品に関する情報を示す。「商品ＩＤ」は、商品を識別するための識別情報を示す。「商品名」は、商品の具体的な名称等を示す。「価格」は、対応する商品の売値（円）を示す。図６では「価格」に「ＰＲ１」等といった抽象的（概念的）な情報が格納される例を示したが、実際には、「１０００円」や「１万円」等具体的な情報（数値）が格納される。「在庫数」は、対応する商品の在庫数を示す。
【００８５】
図６の例では、ストアＩＤ「ＳＡ１」により識別されるストアＡは、質問への回答履歴が「ＡＬＧ１」であり、質問へ回答した回数が「１０００」回であることを示す。また、ストアＡが販売する商品のカテゴリである取扱い商品カテゴリは、カテゴリＣＴ１、ＣＴ２、ＣＴ３等であり、ファッション等であることを示す。また、ストアＡの売上は、「ＳＬ１」であることを示す。また、ストアＡへのその時点での日にち（対応日）の通知回数は「３回」であり、対応日にはストアＡへ質問に関する通知が３回行われていることを示す。
【００８６】
また、ストアＡは、商品ＩＤ「ＧＤ１」により識別される商品（商品ＧＤ１）等を販売する販売元であることを示す。また、商品ＧＤ１は、商品名が「衣類Ａ」であり、価格が「ＰＲ１」であり、在庫数が「０」であることを示す。
【００８７】
なお、販売元情報記憶部１２１は、上記に限らず、目的に応じて種々の情報を記憶してもよい。例えば、販売元情報記憶部１２１は、商品情報が追加された日時や商品情報が作成された日時に関する情報を記憶してもよい。また、販売元情報記憶部１２１は、商品の画像や粗利、送料の有無、送料、商品を検索する際に使用されるキーワード、商品の種別等といった各種の商品情報を記憶してもよい。
【００８８】
（ユーザ情報記憶部１２２）
実施形態に係るユーザ情報記憶部１２２は、ユーザに関する各種情報を記憶する。図７は、実施形態に係るユーザ情報記憶部の一例を示す図である。例えば、ユーザ情報記憶部１２２は、各ユーザの属性情報等の種々の情報を記憶する。図７に示すユーザ情報記憶部１２２には、「ユーザＩＤ」、「年齢」、「性別」、「居住地」、「購買履歴」、「質問履歴」、「回答数」といった項目が含まれる。
【００８９】
「ユーザＩＤ」は、ユーザを識別するための識別情報を示す。例えば、ユーザＩＤ「Ｕ１」により識別されるユーザは、図１の例に示したユーザＵ１に対応する。また、「年齢」は、ユーザＩＤにより識別されるユーザの年齢を示す。なお、「年齢」は、例えば３５歳など、ユーザＩＤにより識別されるユーザの具体的な年齢であってもよい。また、「性別」は、ユーザＩＤにより識別されるユーザの性別を示す。また、「居住地」は、ユーザＩＤにより識別されるユーザの居住する地域を示す。なお、「居住地」は、ユーザＩＤにより識別されるユーザの具体的な住所であってもよい。
【００９０】
「購買履歴」は、ユーザの購買に関する履歴情報を示す。「購買履歴」は、電子商取引サービスにおけるユーザの購買に関する履歴情報を示す。図７では「購買履歴」に「ＢＬＧ１」等といった抽象的（概念的）な情報が格納される例を示したが、実際には、ユーザが購買した商品を識別する情報や購買日時や購買内容（販売元や金額）などを含む情報（購買情報）、または、これらの格納場所を示すファイルパス名などが格納される。「購買履歴」には、ユーザが購買を行った回数を示す情報（回数情報）が含まれてもよい。
【００９１】
「質問履歴」は、ユーザが投稿（入力）した商品への質問に関する履歴情報を示す。図７では「質問履歴」に「ＱＬＧ１」等といった抽象的（概念的）な情報が格納される例を示したが、実際には、ユーザが投稿（入力）した質問を識別する情報や質問日時や質問内容などを含む情報（質問情報）、または、これらの格納場所を示すファイルパス名などが格納される。「質問履歴」には、ユーザが質問を行った回数を示す情報（回数情報）が含まれてもよい。
【００９２】
「回答数」は、回答者としてユーザが質問へ回答を行った回数を示す。図７の例では、ユーザが行った回答については、「回答数」のみが記憶される場合を示すが、ユーザ情報記憶部１２２には、図７中の「回答履歴」と同様の情報が、回答を行ったユーザのユーザＩＤに対応付けて記憶されてもよい。
【００９３】
例えば、図７の例では、ユーザＩＤ「Ｕ１」により識別されるユーザ（ユーザＵ１）の年齢は、「２０代」であり、性別は、「女性」であることを示す。また、例えば、図７に示す例において、ユーザＵ１は、居住地が「Ａ地域」であることを示す。ユーザＵ１は、購買履歴が「ＢＬＧ１」であり、質問履歴が「ＱＬＧ１」であり、回答数が「０」回であることを示す。
【００９４】
なお、ユーザ情報記憶部１２２は、上記に限らず、目的に応じて種々の情報を記憶してもよい。例えば、ユーザ情報記憶部１２２は、年齢や性別に加えて他のデモグラフィック属性情報やサイコグラフィック属性情報を記憶してもよい。例えば、ユーザ情報記憶部１２２は、氏名、自宅、勤務地、興味、家族構成、収入、ライフスタイル等の情報を記憶してもよい。また、ユーザ情報記憶部１２２は、ユーザの行動ログ（行動情報）を対応するユーザのユーザＩＤに対応付けて記憶してもよい。
【００９５】
（質問情報記憶部１２３）
実施形態に係る質問情報記憶部１２３は、質問に関する各種情報を記憶する。図８は、実施形態に係る質問情報記憶部の一例を示す図である。図８に示す質問情報記憶部１２３は、「質問ＩＤ」、「質問日時」、「質問者ＩＤ」、「カテゴリ」、「質問内容」といった項目を有する。
【００９６】
「質問ＩＤ」は、質問を識別するための識別情報を示す。「質問日時」は、対応する質問が行われた日時を示す。なお、図８の例では、「質問日時」に記憶される情報を「ＱＤＴ１」等の符号で図示するが、「日時」には、「２０１９年５月１３日２２時１６分４３秒」等の具体的な日時が記憶されるものとする。「質問者ＩＤ」は、質問を行った主体（質問者）を識別するための識別情報を示す。例えば、「質問者ＩＤ」には、質問を行ったユーザのユーザＩＤが格納される。
【００９７】
「カテゴリ」は、質問のカテゴリを示す。例えば、「カテゴリ」は、質問者が質問の投稿時に指定したカテゴリが格納される。「質問内容」は、対応する質問の具体的な内容を示す。図８では「質問内容」に「ＱＳＣ１」等といった抽象的（概念的）な情報が格納される例を示したが、実際には、ユーザが投稿（入力）した質問を示す文字列（文字情報）、または、これらの格納場所を示すファイルパス名などが格納される。「質問内容」には、ユーザがコンテンツＩＭ１で入力した質問に関する各種情報（文字情報）が含まれる。
【００９８】
図８の例は、質問ＩＤ「ＱＳ１」により識別される質問（質問ＱＳ１）は、質問された日時が「ＱＤＴ１」であることを示す。また、質問ＱＳ１の質問者は、ユーザＩＤ「Ｕ２」により識別されるユーザ（ユーザＵ２）であることを示す。また、質問ＱＳ１のカテゴリが、カテゴリ「メンズファッション」であるカテゴリＣＴ２であることを示す。例えば、質問ＱＳ１は、質問者であるユーザＵ２により、カテゴリがカテゴリＣＴ２（メンズファッション）と指定されたことを示す。また、質問ＱＳ１の質問内容は、「ＱＳＣ１」であることを示す。
【００９９】
なお、質問情報記憶部１２３は、上記に限らず、目的に応じて種々の情報を記憶してもよい。
【０１００】
（回答情報記憶部１２４）
実施形態に係る回答情報記憶部１２４は、回答に関する各種情報を記憶する。図９は、実施形態に係る回答情報記憶部の一例を示す図である。図９に示す回答情報記憶部１２４は、「質問ＩＤ」、「回答ＩＤ」、「回答日時」、「回答者ＩＤ」、「回答内容」、「反応情報」といった項目を有する。図９に示す回答情報記憶部１２４では、「質問ＩＤ」に、質問ＩＤにより識別される質問に対する各回答が対応付けて記憶される場合を示す。
【０１０１】
「質問ＩＤ」は、質問を識別するための識別情報を示す。「回答ＩＤ」は、回答を識別するための識別情報を示す。「回答日時」は、対応する回答が行われた日時を示す。なお、図９の例では、「回答日時」に記憶される情報を「ＡＤＴ１」等の符号で図示するが、「日時」には、「２０１９年５月１３日２３時２８分１２秒」等の具体的な日時が記憶されるものとする。「回答者ＩＤ」は、回答を行った主体（回答者）を識別するための識別情報を示す。例えば、「回答者ＩＤ」には、回答を行った販売元の販売元ＩＤやユーザのユーザＩＤが格納される。
【０１０２】
「回答内容」は、対応する回答の具体的な内容を示す。図９では「回答内容」に「ＡＳＣ１」等といった抽象的（概念的）な情報が格納される例を示したが、実際には、回答者が投稿（入力）した回答を示す文字列（文字情報）、または、これらの格納場所を示すファイルパス名などが格納される。「反応情報」は、回答に対する質問者や回答を閲覧した第３者等の反応を示す。図９では「反応情報」に「ＰＳ１」等といった抽象的（概念的）な情報が格納される例を示したが、実際には、質問者による反応の有無を示す情報や質問者が入力した評価等や第３者による反応の有無を示す情報や第３者が入力した評価等が記憶される。
【０１０３】
図９の例は、質問ＩＤ「ＱＳ１」により識別される質問（質問ＱＳ１）には、回答ＩＤ「ＡＳ１」により識別される回答（回答ＡＳ１）や回答ＩＤ「ＡＳ２」により識別される回答（回答ＡＳ２）が回答として入力（投稿）されたことを示す。
【０１０４】
回答ＡＳ１は、回答された日時が「ＡＤＴ１」であることを示す。また、回答ＡＳ１の回答者は、販売元ＩＤ「ＳＡ１」により識別される販売元（ストアＡ）であることを示す。また、回答ＡＳ１の回答内容は、「ＡＳＣ１」であり、回答ＡＳ１の反応情報は、「ＰＳ１」であることを示す。
【０１０５】
なお、回答情報記憶部１２４は、上記に限らず、目的に応じて種々の情報を記憶してもよい。
【０１０６】
（通知条件情報記憶部１２５）
実施形態に係る通知条件情報記憶部１２５は、通知条件に関する各種情報を記憶する。図１０は、実施形態に係る通知条件情報記憶部の一例を示す図である。図１０に示す通知条件情報記憶部１２５は、「回数条件」、「通知先選択条件」といった項目を有する。「通知先選択条件」は、通知先の選択に関する条件を示す。図１０の例では、通知先選択条件として、グループの情報を用いる場合を示し、「通知先選択条件」には、「グループ」、「サブグループ」、「所属販売元」、「フラグ」といった項目が含まれる。
【０１０７】
「回数条件」は、通知の回数に関する条件を示す。「グループ」は、通知先の選択基準となるグループを示す。「サブグループ」は、対応するグループが分割されたサブグループを示す。「所属販売元」は、対応するサブグループに属する販売元を示す。「フラグ」は、複数のサブグループのうち、通知の対象となるサブグループを識別する情報を示す。図１０の例では、フラグが「１」であるサブグループがその時点での通知先の選択候補になることを示し、フラグが「０」であるサブグループはその時点では通知先の選択候補にならないことを示す。
【０１０８】
図１０の例では、「回数条件」は、「１日最大３回」であることを示し、各販売元に通知される回数が１日に最大で３回であることを示す。また、グループＧＰ１１は、カテゴリＣＴ１１に対応するグループであることを示す。この場合、グループＧＰ１１は、カテゴリ「家電」であるカテゴリＣＴ１１が取扱いカテゴリに含まれる販売元が含まれることを示す。また、グループＧＰ１１は、サブグループＧＰ１１−１やサブグループＧＰ１１−２等の複数のサブグループに分類されることを示す。
【０１０９】
また、サブグループＧＰ１１−１には、販売元ＩＤ「ＳＡ１１」、「ＳＡ１２」、「ＳＡ１３」等により各々識別される複数の販売元が属することを示す。すなわち、カテゴリＣＴ１１が取扱いカテゴリに含まれる販売元のうち、販売元ＳＡ１１や販売元ＳＡ１２や販売元ＳＡ１３は、サブグループＧＰ１１−１にクラスタリングされたことを示す。サブグループＧＰ１１−１は、フラグが「１」であることを示す。すなわち、次にグループＧＰ１１が通知先となった場合に、サブグループＧＰ１１−１に属する販売元ＳＡ１１や販売元ＳＡ１２や販売元ＳＡ１３が通知先の候補となることを示す。
【０１１０】
また、サブグループＧＰ１１−２には、販売元ＩＤ「ＳＡ２１」、「ＳＡ２２」、「ＳＡ２３」等により各々識別される複数の販売元が属することを示す。すなわち、カテゴリＣＴ１１が取扱いカテゴリに含まれる販売元のうち、販売元ＳＡ２１や販売元ＳＡ２２や販売元ＳＡ２３は、サブグループＧＰ１１−２にクラスタリングされたことを示す。サブグループＧＰ１１−２は、フラグが「１」であることを示す。すなわち、次にグループＧＰ１１が通知先となった場合に、サブグループＧＰ１１−２に属する販売元ＳＡ２１や販売元ＳＡ２２や販売元ＳＡ２３は通知先の候補にはならないことを示す。
【０１１１】
なお、通知条件情報記憶部１２５は、上記に限らず、目的に応じて種々の情報を記憶してもよい。また、「フラグ」は、そのグループを対象に通知が行われる度に、更新される。例えば、サブグループＧＰ１１−１を対象に通知が行われた場合、サブグループＧＰ１１−１のフラグは「１」から「０」に更新され、他のサブグループのうち、一のサブグループのフラグが「０」から「１」に更新される。例えば、サブグループＧＰ１１−１を対象に通知が行われた場合、サブグループＧＰ１１−１のフラグは「１」から「０」に更新され、サブグループＧＰ１１−２のフラグが「０」から「１」に更新される。この場合、次にグループＧＰ１１が通知先となった場合に、サブグループＧＰ１１−２に属する販売元ＳＡ２１や販売元ＳＡ２２や販売元ＳＡ２３が通知先の候補となることを示す。
【０１１２】
（通知履歴情報記憶部１２６）
実施形態に係る通知履歴情報記憶部１２６は、通知に関する各種情報を記憶する。図１１は、実施形態に係る通知履歴情報記憶部の一例を示す図である。図１１に示す通知履歴情報記憶部１２６には、「通知ＩＤ」、「日時」、「通知内容」、「通知先」といった項目を有する。
【０１１３】
「通知ＩＤ」は、通知を識別するための識別情報を示す。「日時」は、対応する通知が行われた日時を示す。なお、図１１の例では、「日時」に記憶される情報を「ＮＤＴ１」等の符号で図示するが、「日時」には、「２０１９年５月１３日２２時４５分２８秒」等の具体的な日時が記憶されるものとする。
【０１１４】
「通知内容」は、対応する通知の具体的な内容を示す。図１１では、「通知内容」に「ＱＳ１」といった質問を識別する情報（質問ＩＤ）が格納される場合を示すが、実際には質問ＩＤにより識別される質問に関する通知情報が格納される。例えば、「通知内容」には、質問ＩＤにより識別される質問に関する通知情報の文字列（文字情報）、または、これらの格納場所を示すファイルパス名などが格納される。「通知内容」には、質問が表示されるコンテンツに対応するＵＲＬ等、質問が表示されるコンテンツへの所定のリンクが含まれる。「通知先」は、通知情報の送信先を識別するための識別情報を示す。例えば、「通知先」には、通知情報の送信先の販売元の販売元ＩＤが格納される。
【０１１５】
図１１の例は、通知ＩＤ「ＮＴ１」により識別される通知（通知ＮＴ１）は、通知された日時が「ＮＤＴ１」であることを示す。また、通知ＮＴ１の通知内容は、質問ＩＤ「ＱＳ１」により識別される質問に関連する内容であることを示す。また、通知ＮＴ１の通知先は、販売元ＩＤ「ＳＡ１」により識別される販売元（ストアＳＡ１）であることを示す。
【０１１６】
なお、通知履歴情報記憶部１２６は、上記に限らず、目的に応じて種々の情報を記憶してもよい。
【０１１７】
（制御部１３０）
図５の説明に戻って、制御部１３０は、コントローラ（controller）であり、例えば、ＣＰＵ（Central  Processing  Unit）やＭＰＵ（Micro  Processing  Unit）等によって、情報処理装置１００内部の記憶装置に記憶されている各種プログラム（情報処理プログラムの一例に相当）がＲＡＭを作業領域として実行されることにより実現される。また、制御部１３０は、コントローラであり、例えば、ＡＳＩＣ（Application  Specific  Integrated  Circuit）やＦＰＧＡ（Field  Programmable  Gate  Array）等の集積回路により実現される。
【０１１８】
図５に示すように、制御部１３０は、取得部１３１と、受付部１３２と、選択部１３３と、抽出部１３４と、通知部１３５と、提供部１３６とを有し、以下に説明する情報処理の機能や作用を実現または実行する。
【０１１９】
（取得部１３１）
取得部１３１は、各種情報を取得する。取得部１３１は、外部の情報処理装置から各種情報を取得する。取得部１３１は、端末装置１０や販売元装置２０等の他の情報処理装置から各種情報を取得する。
【０１２０】
取得部１３１は、記憶部１２０から各種情報を取得する。取得部１３１は、販売元情報記憶部１２１やユーザ情報記憶部１２２や質問情報記憶部１２３や回答情報記憶部１２４や通知条件情報記憶部１２５や通知履歴情報記憶部１２６から各種情報を取得する。取得部１３１は、選択部１３３が決定した各種情報を取得する。取得部１３１は、抽出部１３４が生成した各種情報を取得する。
【０１２１】
取得部１３１は、電子商取引サービスにおいて取引される商品に対する質問への回答を投稿可能な回答者に関する回答者情報を取得する。取得部１３１は、電子商取引サービスを利用するユーザにより投稿された質問を含む所定の質問群を取得する。取得部１３１は、回答者が入力した検索キーワードを含む回答者情報を取得する。取得部１３１は、回答者が指定した商品カテゴリを含む回答者情報を取得する。取得部１３１は、回答者の属性情報を含む回答者情報を取得する。
【０１２２】
取得部１３１は、電子商取引サービスにおいて商品を販売する販売元である回答者に関する回答者情報を取得する。取得部１３１は、販売元が販売する販売商品に関する販売商品情報を含む回答者情報を取得する。取得部１３１は、所定の質問群の各質問を入力した各質問者の質問者情報を取得する。取得部１３１は、各質問者の電子商取引サービスにおける購入履歴を含む質問者情報を取得する。
【０１２３】
取得部１３１は、所定の販売元を含む電子商取引サービスにおける複数の販売元が複数のグループに分類されたグループ情報を取得する。取得部１３１は、複数の販売元の各々が販売する商品のカテゴリに基づいて、複数の販売元が複数のグループに分類されたグループ情報を取得する。取得部１３１は、所定の販売元が属する一のグループに含まれる販売元が複数のサブグループに分類されたサブグループ情報を取得する。
【０１２４】
図１の例では、取得部１３１は、ストアＡである販売元ＳＡ１の販売元装置２０−１から情報の要求を取得する。取得部１３１は、販売元装置２０−１から電子商取引サービスに関連する情報の要求を取得する。取得部１３１は、ストアＢである販売元ＳＡ２の販売元装置２０−２からクエリ情報を取得する。取得部１３１は、販売元装置２０−２からクエリ「旅行」を取得する。
【０１２５】
図２の例では、取得部１３１は、販売元装置２０−１１から質問ＱＳ１１に対する回答を取得する。
【０１２６】
（受付部１３２）
受付部１３２は、各種情報を受け付ける。受付部１３２は、外部の情報処理装置から各種情報を受け付ける。受付部１３２は、端末装置１０や販売元装置２０等の他の情報処理装置から各種情報を受け付ける。
【０１２７】
受付部１３２は、電子商取引サービスにおいて取引される商品に対する質問を受け付ける。受付部１３２は、電子商取引サービスにおいて取引される商品に対する質問をユーザから受け付ける。受付部１３２は、質問をユーザの端末装置１０から受け付ける。
【０１２８】
図１の例では、受付部１３２は、ユーザＵ２が利用する端末装置１０から、質問ＱＳ１を受け付ける。受付部１３２は、多数のユーザの各々が利用する端末装置１０から、質問を受け付ける。
【０１２９】
図２の例では、受付部１３２は、ユーザＵ１が利用する端末装置１０から、質問ＱＳ１１を受け付ける。受付部１３２は、ユーザＵ１が利用する端末装置１０から質問ＱＳ１１を受信する。
【０１３０】
（選択部１３３）
選択部１３３は、種々の情報を選択する。選択部１３３は、記憶部１２０から種々の情報を選択する。選択部１３３は、販売元情報記憶部１２１やユーザ情報記憶部１２２や質問情報記憶部１２３や回答情報記憶部１２４や通知条件情報記憶部１２５や通知履歴情報記憶部１２６から、種々の情報を選択する。選択部１３３は、取得部１３１により取得された各種情報に基づいて、各種情報を選択する。選択部１３３は、受付部１３２により受け付けられた各種情報に基づいて、各種情報を選択する。
【０１３１】
また、選択部１３３は、各種情報を決定する決定部としての機能を有してもよい。例えば、選択部１３３は、外部の情報処理装置からの情報や記憶部１２０に記憶された情報に基づいて、各種情報を決定する。選択部１３３は、端末装置１０や販売元装置２０等の他の情報処理装置からの情報に基づいて、各種情報を決定する。選択部１３３は、販売元情報記憶部１２１やユーザ情報記憶部１２２や質問情報記憶部１２３や回答情報記憶部１２４や通知条件情報記憶部１２５や通知履歴情報記憶部１２６に記憶された情報に基づいて、各種情報を決定する。選択部１３３は、各種情報を判定する。例えば、選択部１３３は、外部の情報処理装置からの情報や記憶部１２０に記憶された情報に基づいて、各種情報を判定する。
【０１３２】
選択部１３３は、質問に基づいて、所定の販売元を選択する。選択部１３３は、所定の販売元に関する販売元情報に基づいて、所定の販売元を選択する。選択部１３３は、所定の販売元が販売する商品のカテゴリに基づいて、所定の販売元を選択する。
【０１３３】
選択部１３３は、所定の販売元が販売する商品のカテゴリと、質問との比較に基づいて、所定の販売元を選択する。選択部１３３は、所定の販売元が販売する商品のカテゴリと、質問に対応するカテゴリとの比較に基づいて、所定の販売元を選択する。選択部１３３は、質問に対応するカテゴリにおける所定の販売元の売上が所定の基準を満たす場合、所定の販売元を選択する。選択部１３３は、質問に対応するカテゴリの売上における所定の販売元の売上の割合が所定値以上である場合、所定の販売元を選択する。
【０１３４】
図２の例では、選択部１３３は、通知先の候補を選択する。選択部１３３は、所定の販売元を含む電子商取引サービスにおける複数の販売元が複数のグループに分類されたグループ情報を用いて、通知先の候補を選択する。選択部１３３は、複数の販売元の各々が販売する商品のカテゴリに基づいて、複数の販売元が複数のグループに分類されたグループ情報を用いて、通知先の候補を選択する。選択部１３３は、所定の販売元が属する一のグループに含まれる販売元が複数のサブグループに分類されたサブグループ情報を用いて、通知先の候補を選択する。
【０１３５】
選択部１３３は、通知条件情報記憶部１２５に記憶された通知条件に関する情報（通知条件情報）を用いて、通知先の候補を選択する。選択部１３３は、質問ＱＳ１１に関する質問情報と、通知条件情報記憶部１２５中の通知先選択条件に関する情報とに基づいて、通知先の候補を選択する。選択部１３３は、質問ＱＳ１１のカテゴリがカテゴリＣＴ１１であるため、カテゴリＣＴ１１が取扱いカテゴリに含まれる販売元が属するグループＧＰ１１を対象として、通知先の候補を選択する。
【０１３６】
選択部１３３は、グループＧＰ１１中のサブグループＧＰ１１−１やサブグループＧＰ１１−２等の複数のサブグループのうち、一のサブグループに属する販売元を通知先の候補として選択する。選択部１３３は、グループＧＰ１１中のサブグループＧＰ１１−１やサブグループＧＰ１１−２等の複数のサブグループのうち、フラグが「１」に設定されているサブグループＧＰ１１−１に属する販売元を通知先の候補として選択する。選択部１３３は、サブグループＧＰ１１−１に属する販売元ＳＡ１１、ＳＡ１２、ＳＡ１３等を通知先の候補として選択する。
【０１３７】
選択部１３３は、通知先の候補から通知先を選択する。選択部１３３は、通知先の候補のうち、所定の期間における通知回数が閾値未満である販売元を通知先として選択する。選択部１３３は、通知条件情報記憶部１２５に記憶された回数条件を用いて、通知先を選択する。具体的には、情報処理装置１００は、通知先の候補のうち、対応する日にち（１日）における通知回数が、閾値「３回」未満である販売元を通知先として選択する。
【０１３８】
選択部１３３は、サブグループＧＰ１１−１に属する販売元ＳＡ１１、ＳＡ１２、ＳＡ１３等の各々の通知回数を示す通知回数情報ＮＴＬ１を用いて、通知先を選択する。選択部１３３は、販売元ＳＡ１１、ＳＡ１２、ＳＡ１３のうち、通知回数情報ＮＴＬ１に示す通知回数が閾値「３回」未満である販売元ＳＡ１１等を通知先として選択する。選択部１３３は、販売元ＳＡ１１、ＳＡ１２、ＳＡ１３のうち、通知回数情報ＮＴＬ１に示す通知回数が閾値「３回」以上である販売元ＳＡ１２等を通知先として選択しない。選択部１３３は、通知先一覧ＮＤＬ１に示すように、サブグループＧＰ１１−１に属する販売元のうち、販売元ＳＡ１２等を除く、販売元ＳＡ１１、ＳＡ１３を通知先として選択する。
【０１３９】
（抽出部１３４）
抽出部１３４は、種々の情報を抽出する。抽出部１３４は、記憶部１２０から種々の情報を抽出する。抽出部１３４は、販売元情報記憶部１２１やユーザ情報記憶部１２２や質問情報記憶部１２３や回答情報記憶部１２４や通知条件情報記憶部１２５や通知履歴情報記憶部１２６から、種々の情報を抽出する。抽出部１３４は、取得部１３１により取得された各種情報に基づいて、各種情報を抽出する。抽出部１３４は、選択部１３３により決定された各種情報に基づいて、各種情報を抽出する。
【０１４０】
抽出部１３４は、各種情報を生成する生成部としての機能を有してもよい。抽出部１３４は、外部の情報処理装置からの情報や記憶部１２０に記憶された情報に基づいて、各種情報を生成する。抽出部１３４は、取得部１３１により取得された各種情報に基づいて、各種情報を生成する。抽出部１３４は、選択部１３３により決定された各種情報に基づいて、各種情報を生成する。
【０１４１】
抽出部１３４は、種々の技術を適宜用いて、外部の情報処理装置へ提供する画面（画像情報）等の種々の情報を生成する。抽出部１３４は、端末装置１０へ提供するコンテンツを生成する。例えば、抽出部１３４は、記憶部１２０に記憶された情報に基づいて、端末装置１０へ提供するコンテンツを生成する。また、抽出部１３４は、販売元装置２０へ提供するコンテンツを生成する。例えば、抽出部１３４は、記憶部１２０に記憶された情報に基づいて、販売元装置２０へ提供するコンテンツを生成する。
【０１４２】
抽出部１３４は、外部の情報処理装置へ提供する画面（画像情報）等が生成可能であれば、どのような処理によりコンテンツ等を生成してもよい。例えば、抽出部１３４は、画像生成や画像処理等に関する種々の技術を適宜用いて、端末装置１０へ提供するコンテンツを生成する。抽出部１３４は、質問入力画面のコンテンツＩＭ１（図３参照）を生成する。例えば、抽出部１３４は、Ｊａｖａ（登録商標）等の種々の技術を適宜用いて、端末装置１０へ提供するコンテンツを生成する。なお、抽出部１３４は、ＣＳＳ（Cascading  Style  Sheets）やＪａｖａＳｃｒｉｐｔ（登録商標）やＨＴＭＬの形式に基づいて、端末装置１０へ提供する画面（画像情報）等のコンテンツを生成してもよい。また、例えば、抽出部１３４は、ＪＰＥＧ（Joint  Photographic  Experts  Group）やＧＩＦ（Graphics  Interchange  Format）やＰＮＧ（Portable  Network  Graphics）など様々な形式で画面（画像情報）等のコンテンツを生成してもよい。
【０１４３】
抽出部１３４は、取得部１３１により取得された回答者情報に基づいて、所定の質問群のうち、回答者へ情報提供する質問を抽出する。抽出部１３４は、取得部１３１により取得された所定の質問群から回答者へ情報提供する質問を抽出する。
【０１４４】
抽出部１３４は、回答者が入力した検索キーワードに基づいて、回答者へ情報提供する質問を抽出する。抽出部１３４は、検索キーワードと、所定の質問群中の各質問との比較に基づいて、回答者へ情報提供する質問を抽出する。抽出部１３４は、所定の質問群のうち検索キーワードに該当する質問を、回答者へ情報提供する質問として抽出する。
【０１４５】
抽出部１３４は、回答者が入力した商品カテゴリに基づいて、回答者へ情報提供する質問を抽出する。抽出部１３４は、回答者の属性情報に基づいて、回答者へ情報提供する質問を抽出する。抽出部１３４は、販売元へ情報提供する質問を抽出する。抽出部１３４は、販売商品情報に基づいて、回答者へ情報提供する質問を抽出する。
【０１４６】
抽出部１３４は、所定の質問群のうち販売元の販売商品に対応する質問を、販売元へ情報提供する質問として抽出する。抽出部１３４は、所定の質問群のうち販売元が販売する商品の購入履歴がない質問者による質問を、販売元へ情報提供する質問として抽出する。
【０１４７】
抽出部１３４は、質問者情報に基づいて、回答者へ情報提供する質問を抽出する。抽出部１３４は、質問者情報と回答者情報との比較に基づいて、回答者へ情報提供する質問を抽出する。抽出部１３４は、各質問者の購入履歴に基づいて、回答者へ情報提供する質問を抽出する。
【０１４８】
図１の例では、抽出部１３４は、ストアＡの販売元装置２０−１へ情報提供する質問を抽出する。抽出部１３４は、ストアＡの取扱い商品カテゴリ等を含む販売する販売商品に関する販売商品情報ＳＬ１を用いて、ストアＡへ情報提供する質問を抽出する。抽出部１３４は、ストアＡの取扱い商品カテゴリに含まれるカテゴリＣＴ２が対応付けられた質問ＱＳ１をストアＡへ情報提供する質問として抽出する。抽出部１３４は、ストアＡの取扱い商品カテゴリに含まれるカテゴリＣＴ３が対応付けられた質問ＱＳ５をストアＡへ情報提供する質問として抽出する。
【０１４９】
抽出部１３４は、ストアＢの販売元装置２０−２へ情報提供する質問を抽出する。抽出部１３４は、販売元装置２０−２から取得したクエリ「旅行」を用いて、ストアＢへ情報提供する質問を抽出する。抽出部１３４は、クエリ「旅行」を用いて、質問情報記憶部１２３に記憶された各質問を検索することにより、質問情報記憶部１２３からストアＢへ情報提供する質問を抽出する。抽出部１３４は、検索キーワード「旅行」に対応する文字列が質問情報に含まれる質問ＱＳ２をストアＢへ情報提供する質問として抽出する。抽出部１３４は、検索キーワード「旅行」に対応する文字列が質問情報に含まれる質問ＱＳ８をストアＢへ情報提供する質問として抽出する。
【０１５０】
（通知部１３５）
通知部１３５は、各種情報を通知する。通知部１３５は、外部の情報処理装置へ各種情報を通知する。通知部１３５は、外部の情報処理装置へ各種情報を送信する。例えば、通知部１３５は、端末装置１０へ各種情報を通知する。例えば、通知部１３５は、販売元装置２０へ各種情報を通知する。
【０１５１】
通知部１３５は、取得部１３１により取得された各種情報に基づいて、各種情報を通知する。通知部１３５は、選択部１３３により決定された各種情報に基づいて、各種情報を通知する。通知部１３５は、抽出部１３４により生成された各種情報に基づいて、各種情報を通知する。通知部１３５は、提供部１３６に指示することにより、提供部１３６に各種情報を送信させることにより、通知を行ってもよい。
【０１５２】
通知部１３５は、受付部１３２により受け付けられた質問に基づいて、電子商取引サービスにおける所定の販売元に質問に関する通知情報を通知する。通知部１３５は、質問の内容を含む通知情報を通知する。通知部１３５は、質問が表示されるコンテンツへの所定のリンクを含む通知情報を通知する。通知部１３５は、質問が表示されるコンテンツに対応するＵＲＬを含む通知情報を通知する。
【０１５３】
通知部１３５は、所定の期間における所定の販売元への通知回数が閾値未満である場合、所定の販売元に通知情報を通知する。通知部１３５は、所定の期間における所定の販売元への通知回数が閾値以上である場合、所定の販売元に通知情報を通知しない。
【０１５４】
通知部１３５は、グループ情報に基づいて、所定の販売元に通知情報を通知する。通知部１３５は、所定の販売元が属する一のグループが質問に対応する場合、所定の販売元に通知情報を通知する。通知部１３５は、サブグループ情報に基づいて、所定の販売元に通知情報を通知する。通知部１３５は、複数のサブグループの各々に所定の順序で通知を行い、質問が所定の販売元が属する一のグループへの通知タイミングに対応する場合、所定の販売元に通知情報を通知する。通知部１３５は、選択部１３３により選択された所定の販売元に通知情報を通知する。
【０１５５】
図２の例では、通知部１３５は、通知先として選択された販売元の販売元装置２０へ質問ＱＳ１１に関する通知情報を通知する。通知部１３５は、通知先として選択された販売元の販売元装置２０へ質問ＱＳ１１に関する通知情報を送信する。通知部１３５は、通知先として選択された販売元ＳＡ１１の販売元装置２０−１１へ質問ＱＳ１１に関する通知情報を通知する。通知部１３５は、通知先として選択されなかった販売元ＳＡ１２の販売元装置２０−１２へ質問ＱＳ１１に関する通知情報を通知しない。
【０１５６】
通知部１３５は、質問ＱＳ１１が表示されるコンテンツへの所定のリンクを含む通知情報を通知する。通知部１３５は、質問ＱＳ１１が表示されるコンテンツに対応するＵＲＬを含む通知情報を通知する。通知部１３５は、質問ＱＳ１１が表示されるコンテンツへの所定のリンクを含む通知情報を販売元ＳＡ１１の販売元装置２０−１１へ送信する。通知部１３５は、質問ＱＳ１１への回答を入力するページ（回答入力ページ）への所定のリンクを含む通知情報を販売元ＳＡ１１の販売元装置２０−１１へ送信する。
【０１５７】
（提供部１３６）
提供部１３６は、外部の情報処理装置へ各種情報を提供する。提供部１３６は、外部の情報処理装置へ各種情報を送信する。例えば、提供部１３６は、端末装置１０へ各種情報を提供する。例えば、提供部１３６は、販売元装置２０へ各種情報を提供する。
【０１５８】
提供部１３６は、選択部１３３により決定された種々の情報を用いたサービスを提供する。提供部１３６は、外部の情報処理装置へ各種コンテンツを提供する。例えば、提供部１３６は、抽出部１３４により生成されたコンテンツを端末装置１０へ提供する。例えば、提供部１３６は、抽出部１３４により生成された質問入力画面のコンテンツＩＭ１を端末装置１０へ提供する。
【０１５９】
提供部１３６は、抽出部１３４により抽出された質問を、回答者へ提供する。提供部１３６は、抽出部１３４により抽出された質問を、回答者が利用する端末装置（販売元装置２０）へ送信する。
【０１６０】
図１の例では、提供部１３６は、抽出部１３４による抽出結果に基づいてストアＡの販売元装置２０−１へ情報提供を行う。提供部１３６は、抽出質問一覧ＱＳＬ１に示すような質問ＱＳ１、ＱＳ５等をストアＡへ情報提供する。提供部１３６は、質問ＱＳ１、ＱＳ５等の質問情報をストアＡの販売元装置２０−１へ送信する。提供部１３６は、抽出結果に基づいてストアＢの販売元装置２０−２へ情報提供を行う。提供部１３６は、抽出質問一覧ＱＳＬ２に示すような質問ＱＳ２、ＱＳ８等をストアＢへ情報提供する。提供部１３６は、質問ＱＳ２、ＱＳ８等の質問情報をストアＢの販売元装置２０−２へ送信する。
【０１６１】
提供部１３６は、質問が表示されるコンテンツへの所定のリンクを提供する。提供部１３６は、質問が表示されるコンテンツに対応するＵＲＬを提供する。提供部１３６は、質問が表示されるコンテンツへの所定のリンクを販売元の販売元装置２０へ送信する。提供部１３６は、質問への回答を入力するページ（回答入力ページ）への所定のリンクを販売元の販売元装置２０へ送信する。
【０１６２】
〔３．端末装置の構成〕
次に、図１２を用いて、実施形態に係る端末装置１０の構成について説明する。図１２は、実施形態に係る端末装置の構成例を示す図である。図１２に示すように、端末装置１０は、通信部１１と、入力部１２と、出力部１３と、記憶部１４と、制御部１５とを有する。
【０１６３】
（通信部１１）
通信部１１は、例えば、通信回路等によって実現される。そして、通信部１１は、所定のネットワークＮ（図４参照）と有線または無線で接続され、外部の情報処理装置との間で情報の送受信を行う。例えば、通信部１１は、所定のネットワークＮ（図４参照）と有線または無線で接続され、情報処理装置１００や販売元装置２０等との間で情報の送受信を行う。
【０１６４】
（入力部１２）
入力部１２は、ユーザから各種操作が入力される。例えば、入力部１２は、タッチパネル機能により表示面（例えば出力部１３）を介してユーザからの各種操作を受け付けてもよい。また、入力部１２は、端末装置１０に設けられたボタンや、端末装置１０に接続されたキーボードやマウスからの各種操作を受け付けてもよい。
【０１６５】
（出力部１３）
出力部１３は、例えば液晶ディスプレイや有機ＥＬ（Electro-Luminescence）ディスプレイ等によって実現されるタブレット端末等の表示画面であり、各種情報を表示するための表示装置である。
【０１６６】
（記憶部１４）
記憶部１４は、例えば、ＲＡＭ、フラッシュメモリ（Flash  Memory）等の半導体メモリ素子、または、ハードディスク、光ディスク等の記憶装置によって実現される。記憶部１４は、例えば、端末装置１０にインストールされているアプリケーションに関する情報、例えばプログラム等を記憶する。
【０１６７】
（制御部１５）
制御部１５は、コントローラ（controller）であり、例えば、ＣＰＵやＭＰＵ等によって、端末装置１０内部の記憶部１４などの記憶装置に記憶されている各種プログラムがＲＡＭを作業領域として実行されることにより実現される。例えば、この各種プログラムは、決定処理を行うアプリケーションのプログラムが含まれる。また、制御部１５は、コントローラであり、例えば、ＡＳＩＣやＦＰＧＡ等の集積回路により実現される。
【０１６８】
図１２に示すように、制御部１５は、受信部１５１と、受付部１５２と、表示部１５３と、送信部１５４とを有し、以下に説明する決定処理の機能や作用を実現または実行する。なお、制御部１５の内部構成は、図１２に示した構成に限られず、後述する処理を行う構成であれば他の構成であってもよい。また、制御部１５が有する各処理部の接続関係は、図１２に示した接続関係に限られず、他の接続関係であってもよい。
【０１６９】
（受信部１５１）
受信部１５１は、各種情報を受信する。また、受信部１５１は、各種情報を外部の情報処理装置から受信する。受信部１５１は、各種情報を情報処理装置１００や販売元装置２０等の他の情報処理装置から各種情報を受信する。
【０１７０】
受信部１５１は、情報処理装置１００からコンテンツを受信する。受信部１５１は、質問入力画面のコンテンツＩＭ１を受信する。
【０１７１】
受信部１５１は、情報処理装置１００から制御情報を受信する。受信部１５１は、情報処理装置１００から制御情報を含むコンテンツを受信する。図１の例では、受信部１５１は、情報処理装置１００からコンテンツＩＭ１を受信する。受信部１５１は、情報処理装置１００から制御情報を含むコンテンツＩＭ１を受信する。
【０１７２】
（受付部１５２）
受付部１５２は、種々の情報を受け付ける。例えば、受付部１５２は、入力部１２を介して、端末装置１０を利用するユーザによる各種操作の入力を受け付ける。例えば、受付部１５２は、質問入力画面のコンテンツＩＭ１を介して、ユーザの質問に関する情報を受け付ける。
【０１７３】
（表示部１５３）
表示部１５３は、種々の情報を表示する。例えば、表示部１５３は、出力部１３を介して各種情報を表示する。例えば、表示部１５３は、記憶部１４に記憶された各種情報を用いて、種々の情報を表示する。
【０１７４】
表示部１５３は、受信部１５１により受信されたコンテンツを表示する。表示部１５３は、コンテンツを表示する。表示部１５３は、質問入力画面のコンテンツＩＭ１を表示する。
【０１７５】
表示部１５３は、各種表示を制御する。表示部１５３は、出力部１３の表示を制御する。表示部１５３は、受信部１５１による受信に応じて、出力部１３の表示を制御する。表示部１５３は、受信部１５１により受信された情報に基づいて、出力部１３の表示を制御する。表示部１５３は、受付部１５２により受け付けられた情報に基づいて、出力部１３の表示を制御する。表示部１５３は、受付部１５２により受け付けられたユーザの操作に基づいて、出力部１３の表示を制御する。表示部１５３は、出力部１３に情報処理装置１００から受信したコンテンツが表示されるように出力部１３の表示を制御する。
【０１７６】
（送信部１５４）
送信部１５４は、各種情報を送信する。例えば、送信部１５４は、情報処理装置１００に各種情報を送信する。例えば、送信部１５４は、情報処理装置１００や販売元装置２０等の他の情報処理装置に各種情報の要求を送信する。また、送信部１５４は、情報処理装置１００にユーザの操作等の行動情報等を送信する。例えば、送信部１５４は、入力部１２により入力されたユーザ操作に従って、外部の情報処理装置へ種々の情報を送信してもよい。送信部１５４は、ユーザによる質問を送信する。送信部１５４は、ユーザによる質問を情報処理装置１００に送信する。送信部１５４は、質問入力画面のコンテンツＩＭ１に入力された情報（質問情報）を、情報処理装置１００に送信する。
【０１７７】
なお、上述した制御部１５による表示処理や受付処理等の処理は、制御部１５の各部は、例えば、所定のアプリケーションにより実現されてもよい。例えば、制御部１５による表示処理や受付処理等の処理は、ＪａｖａＳｃｒｉｐｔ（登録商標）などを含む制御情報により実現されてもよい。また、上述した表示処理や受付処理等が専用アプリにより行われる場合、制御部１５は、例えば、所定のアプリ（例えばウェブブラウザ等）や専用アプリを制御するアプリ制御部を有してもよい。
【０１７８】
〔４．情報処理のフロー〕
〔４−１．抽出処理のフロー〕
ここで、図１３を用いて、実施形態に係る情報処理装置１００による情報処理の手順について説明する。図１３は、実施形態に係る情報処理の一例を示すフローチャートである。
【０１７９】
図１３に示すように、情報処理装置１００は、商品に対する質問への回答を投稿可能な回答者に関する回答者情報を取得する（ステップＳ１０１）。図１の例では、情報処理装置１００は、ストアＢである販売元ＳＡ２の販売元装置２０−２からクエリ情報を取得する。
【０１８０】
その後、情報処理装置１００は、回答者情報に基づいて、所定の質問群のうち、回答者へ情報提供する質問を抽出する（ステップＳ１０２）。図１の例では、情報処理装置１００は、販売元装置２０−２から取得したクエリ「旅行」を用いて、ストアＢへ情報提供する質問を抽出する。
【０１８１】
〔４−２．通知処理のフロー〕
ここで、図１４を用いて、実施形態に係る通知処理の手順について説明する。図１４は、実施形態に係る情報処理の一例を示すフローチャートである。
【０１８２】
図１４に示すように、情報処理装置１００は、商品に対する質問を受け付けたかどうかを判定する（ステップＳ２０１）。情報処理装置１００は、商品に対する質問を受け付けていない場合（ステップＳ２０１：Ｎｏ）、ステップＳ２０１を繰り返す。図２の例では、情報処理装置１００は、ユーザＵ１が利用する端末装置１０から、質問ＱＳ１１を受け付ける。
【０１８３】
情報処理装置１００は商品に対する質問を受け付けた場合（ステップＳ２０１：Ｙｅｓ）、質問に基づいて、電子商取引サービスにおける所定の販売元に質問に関する通知情報を通知する（ステップＳ２０２）。図２の例では、情報処理装置１００は、通知先として選択された販売元ＳＡ１１の販売元装置２０−１１へ質問ＱＳ１１に関する通知情報を通知する。
【０１８４】
〔５．効果〕
上述してきたように、実施形態に係る情報処理装置１００は、受付部１３２と、通知部１３５とを有する。受付部１３２は、電子商取引サービスにおいて取引される商品に対する質問を受け付ける。通知部１３５は、受付部１３２により受け付けられた質問に基づいて、電子商取引サービスにおける所定の販売元に質問に関する通知情報を通知する。
【０１８５】
このように、実施形態に係る情報処理装置１００は、電子商取引サービスにおいて取引される商品に対する質問を受け付けた場合、質問に基づいて、電子商取引サービスにおける所定の販売元に質問に関する通知情報を通知することにより、質問に対する回答を促進することができる。これにより、情報処理装置１００は、電子商取引サービスにおける販売元に適切に情報を通知することができる。
【０１８６】
また、実施形態に係る情報処理装置１００において、通知部１３５は、質問の内容を含む通知情報を通知する。
【０１８７】
このように、実施形態に係る情報処理装置１００は、質問の内容を含む通知情報を通知することにより、質問に対する回答を促進することができる。これにより、情報処理装置１００は、電子商取引サービスにおける販売元に適切に情報を通知することができる。
【０１８８】
また、実施形態に係る情報処理装置１００において、通知部１３５は、質問が表示されるコンテンツへの所定のリンクを含む通知情報を通知する。
【０１８９】
このように、実施形態に係る情報処理装置１００は、質問が表示されるコンテンツへの所定のリンクを含む通知情報を通知することにより、質問に対する回答を促進することができる。これにより、情報処理装置１００は、電子商取引サービスにおける販売元に適切に情報を通知することができる。
【０１９０】
また、実施形態に係る情報処理装置１００において、通知部１３５は、質問が表示されるコンテンツに対応するＵＲＬ（Uniform  Resource  Locator）を含む通知情報を通知する。
【０１９１】
このように、実施形態に係る情報処理装置１００は、質問が表示されるコンテンツに対応するＵＲＬを含む通知情報を通知することにより、質問に対する回答を促進することができる。これにより、情報処理装置１００は、電子商取引サービスにおける販売元に適切に情報を通知することができる。
【０１９２】
また、実施形態に係る情報処理装置１００において、通知部１３５は、所定の期間における所定の販売元への通知回数が閾値未満である場合、所定の販売元に通知情報を通知する。
【０１９３】
このように、実施形態に係る情報処理装置１００は、所定の期間（例えば１日）における所定の販売元への通知回数が閾値（例えば３回）未満である場合、所定の販売元に通知情報を通知することにより、適切な通知回数の通知を販売元に行うことで、質問に対する回答を促進することができる。これにより、情報処理装置１００は、電子商取引サービスにおける販売元に適切に情報を通知することができる。
【０１９４】
また、実施形態に係る情報処理装置１００において、通知部１３５は、所定の期間における所定の販売元への通知回数が閾値以上である場合、所定の販売元に通知情報を通知しない。
【０１９５】
このように、実施形態に係る情報処理装置１００は、所定の期間における所定の販売元への通知回数が閾値以上である場合、所定の販売元に通知情報を通知しないことにより、適切な通知回数の通知を販売元に行うことで、質問に対する回答を促進することができる。これにより、情報処理装置１００は、電子商取引サービスにおける販売元に適切に情報を通知することができる。
【０１９６】
また、実施形態に係る情報処理装置１００は、取得部１３１を有する。取得部１３１は、所定の販売元を含む電子商取引サービスにおける複数の販売元が複数のグループに分類されたグループ情報を取得する。通知部１３５は、グループ情報に基づいて、所定の販売元に通知情報を通知する。
【０１９７】
このように、実施形態に係る情報処理装置１００は、所定の販売元を含む電子商取引サービスにおける複数の販売元が複数のグループに分類されたグループ情報に基づいて、所定の販売元に通知情報を通知することにより、電子商取引サービスにおける販売元に適切に情報を通知することができる。
【０１９８】
また、実施形態に係る情報処理装置１００において、取得部１３１は、複数の販売元の各々が販売する商品のカテゴリに基づいて、複数の販売元が複数のグループに分類されたグループ情報を取得する。
【０１９９】
このように、実施形態に係る情報処理装置１００は、複数の販売元の各々が販売する商品のカテゴリに基づいて、複数の販売元が複数のグループに分類されたグループ情報に基づいて、所定の販売元に通知情報を通知することにより、電子商取引サービスにおける販売元に適切に情報を通知することができる。
【０２００】
また、実施形態に係る情報処理装置１００において、通知部１３５は、所定の販売元が属する一のグループが質問に対応する場合、所定の販売元に通知情報を通知する。
【０２０１】
このように、実施形態に係る情報処理装置１００は、所定の販売元が属する一のグループが質問に対応する場合、所定の販売元に通知情報を通知することにより、電子商取引サービスにおける販売元に適切に情報を通知することができる。
【０２０２】
また、実施形態に係る情報処理装置１００において、取得部１３１は、所定の販売元が属する一のグループに含まれる販売元が複数のサブグループに分類されたサブグループ情報を取得する。通知部１３５は、サブグループ情報に基づいて、所定の販売元に通知情報を通知する。
【０２０３】
このように、実施形態に係る情報処理装置１００は、所定の販売元が属する一のグループに含まれる販売元が複数のサブグループに分類されたサブグループ情報に基づいて、所定の販売元に通知情報を通知することにより、電子商取引サービスにおける販売元に適切に情報を通知することができる。
【０２０４】
また、実施形態に係る情報処理装置１００において、通知部１３５は、複数のサブグループの各々に所定の順序で通知を行い、質問が所定の販売元が属する一のグループへの通知タイミングに対応する場合、所定の販売元に通知情報を通知する。
【０２０５】
このように、実施形態に係る情報処理装置１００は、複数のサブグループの各々に所定の順序で通知を行い、質問が所定の販売元が属する一のグループへの通知タイミングに対応する場合、所定の販売元に通知情報を通知することにより、電子商取引サービスにおける販売元に適切に情報を通知することができる。
【０２０６】
また、実施形態に係る情報処理装置１００は、選択部１３３を有する。選択部１３３は、質問に基づいて、所定の販売元を選択する。通知部１３５は、選択部１３３により選択された所定の販売元に通知情報を通知する。
【０２０７】
このように、実施形態に係る情報処理装置１００は、質問に基づいて、所定の販売元を選択し、選択した所定の販売元に通知情報を通知することにより、電子商取引サービスにおける販売元に適切に情報を通知することができる。
【０２０８】
また、実施形態に係る情報処理装置１００において、選択部１３３は、所定の販売元に関する販売元情報に基づいて、所定の販売元を選択する。
【０２０９】
このように、実施形態に係る情報処理装置１００は、所定の販売元に関する販売元情報に基づいて、所定の販売元を選択し、選択した所定の販売元に通知情報を通知することにより、電子商取引サービスにおける販売元に適切に情報を通知することができる。
【０２１０】
また、実施形態に係る情報処理装置１００において、選択部１３３は、所定の販売元が販売する商品のカテゴリに基づいて、所定の販売元を選択する。
【０２１１】
このように、実施形態に係る情報処理装置１００は、所定の販売元が販売する商品のカテゴリに基づいて、所定の販売元を選択し、選択した所定の販売元に通知情報を通知することにより、電子商取引サービスにおける販売元に適切に情報を通知することができる。
【０２１２】
また、実施形態に係る情報処理装置１００において、選択部１３３は、所定の販売元が販売する商品のカテゴリと、質問との比較に基づいて、所定の販売元を選択する。
【０２１３】
このように、実施形態に係る情報処理装置１００は、所定の販売元が販売する商品のカテゴリと、質問との比較に基づいて、所定の販売元を選択し、選択した所定の販売元に通知情報を通知することにより、電子商取引サービスにおける販売元に適切に情報を通知することができる。
【０２１４】
また、実施形態に係る情報処理装置１００において、選択部１３３は、所定の販売元が販売する商品のカテゴリと、質問に対応するカテゴリとの比較に基づいて、所定の販売元を選択する。
【０２１５】
このように、実施形態に係る情報処理装置１００は、所定の販売元が販売する商品のカテゴリと、質問に対応するカテゴリとの比較に基づいて、所定の販売元を選択し、選択した所定の販売元に通知情報を通知することにより、電子商取引サービスにおける販売元に適切に情報を通知することができる。
【０２１６】
また、実施形態に係る情報処理装置１００において、選択部１３３は、質問に対応するカテゴリにおける所定の販売元の売上が所定の基準を満たす場合、所定の販売元を選択する。
【０２１７】
このように、実施形態に係る情報処理装置１００は、質問に対応するカテゴリにおける所定の販売元の売上が所定の基準を満たす場合、所定の販売元を選択し、選択した所定の販売元に通知情報を通知することにより、電子商取引サービスにおける販売元に適切に情報を通知することができる。
【０２１８】
また、実施形態に係る情報処理装置１００において、選択部１３３は、質問に対応するカテゴリの売上における所定の販売元の売上の割合が所定値以上である場合、所定の販売元を選択する。
【０２１９】
このように、実施形態に係る情報処理装置１００は、質問に対応するカテゴリの売上における所定の販売元の売上の割合が所定値以上である場合、所定の販売元を選択し、選択した所定の販売元に通知情報を通知することにより、電子商取引サービスにおける販売元に適切に情報を通知することができる。
【０２２０】
〔６．ハードウェア構成〕
上述してきた実施形態に係る情報処理装置１００は、例えば図１５に示すような構成のコンピュータ１０００によって実現される。図１５は、情報処理装置の機能を実現するコンピュータの一例を示すハードウェア構成図である。コンピュータ１０００は、ＣＰＵ１１００、ＲＡＭ１２００、ＲＯＭ（Read  Only  Memory）１３００、ＨＤＤ（Hard  Disk  Drive）１４００、通信インターフェイス（Ｉ／Ｆ）１５００、入出力インターフェイス（Ｉ／Ｆ）１６００、及びメディアインターフェイス（Ｉ／Ｆ）１７００を有する。
【０２２１】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０２２２】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００が生成したデータをネットワークＮを介して他の機器へ提供する。
【０２２３】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０２２４】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０２２５】
例えば、コンピュータ１０００が実施形態に係る情報処理装置１００として機能する場合、コンピュータ１０００のＣＰＵ１１００は、ＲＡＭ１２００上にロードされたプログラムを実行することにより、制御部１３０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０２２６】
以上、本願の実施形態を図面に基づいて詳細に説明したが、これらは例示であり、発明の開示の行に記載の態様を始めとして、当業者の知識に基づいて種々の変形、改良を施した他の形態で本発明を実施することが可能である。
【０２２７】
〔７．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０２２８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０２２９】
また、上述してきた実施形態に記載した各処理は、処理内容を矛盾させない範囲で適宜組み合わせることが可能である。
【０２３０】
また、上述してきた「部（section、module、unit）」は、「手段」や「回路」などに読み替えることができる。例えば、取得部は、取得手段や取得回路に読み替えることができる。
【符号の説明】
【０２３１】
１      情報処理システム
１００  情報処理装置
１２１  販売元情報記憶部
１２２  ユーザ情報記憶部
１２３  質問情報記憶部
１２４  回答情報記憶部
１２５  通知条件情報記憶部
１２６  通知履歴情報記憶部
１３０  制御部
１３１  取得部
１３２  受付部
１３３  選択部
１３４  抽出部
１３５  通知部
１３６  提供部
１０    端末装置
１４    記憶部
１５    制御部
１５１  受信部
１５２  受付部
１５３  表示部
１５４  送信部
２０    販売元装置
Ｎ      ネットワーク
【図１】
2020190840.tif 000003
【図２】
2020190840.tif 000004
【図３】
2020190840.tif 000005
【図４】
2020190840.tif 000006
【図５】
2020190840.tif 000007
【図６】
2020190840.tif 000008
【図７】
2020190840.tif 000009
【図８】
2020190840.tif 000010
【図９】
2020190840.tif 000011
【図１０】
2020190840.tif 000012
【図１１】
2020190840.tif 000013
【図１２】
2020190840.tif 000014
【図１３】
2020190840.tif 000015
【図１４】
2020190840.tif 000016
【図１５】
2020190840.tif 000017